(57)【要約】【課題】ＩＰ網において、着信記録通知サービスの提供を可能にする通信システム、加入者サーバ、およびアプリケーションサーバを提供する。【解決手段】（１）サービス契約者への着信に対して、発信者番号もしくは非通知理由と、着信日時とを記録するガイダンスＩＤ情報１００、（２）サービス契約者からのサービス要求信号（「１３６」発信呼）を受け付け、着信記録（ガイダンスＩＤ）をサービス契約者にガイダンスするカスコン制御部２０、それぞれを、加入者サーバ１もしくはアプリケーションサーバ（ＡＳ）２に配備することを特徴とする。【選択図】図１
2011193253.tif 000002
【特許請求の範囲】
【請求項１】
ＩＰ網に接続される端末の呼制御を行う加入者サーバと、着信端末へ接続要求信号を送信した発信端末の発信者番号もしくは非通知理由とその着信日時とを着信記録として前記着信端末に送信するメディアサーバとを備え、前記着信端末からのサービス要求信号に基づき、前記着信記録を当該着信端末に送信する着信記録通知サービスを提供する通信システムであって、
前記加入者サーバは、
前記着信記録通知サービスの利用契約を結んでいる端末の契約者番号を示した契約者情報を記憶する記憶部と、
前記発信端末から前記接続要求信号を受信し、当該接続要求信号に前記発信端末の発信者番号もしくは非通知理由を付して出力する接続要求信号設定部と、
前記発信者番号もしくは前記発信番号が非通知の場合に非通知理由が付された接続要求信号を受信し、当該受信した接続要求信号に付された発信者番号もしくは非通知理由と、当該接続要求信号を受信した受信日時とを、前記着信記録として生成し、前記生成した着信記録を前記契約者番号毎にガイダンスＩＤ情報として前記記憶部に記憶するガイダンスＩＤ管理部と、
前記着信端末から、前記着信記録通知サービスを要求する前記サービス要求信号を受信すると、前記サービス要求信号に付された発信者番号を用いて、前記契約者情報を参照し、当該発信者番号が、前記着信記録通知サービスの契約者番号である場合に、前記ガイダンスＩＤ情報に記憶された着信記録の通知を制御するカスコン制御部を起動させるサービス判定部と、
前記受信したサービス要求信号の契約者番号をキーとして、前記ガイダンスＩＤ情報を参照し、当該契約者番号の着信記録を取得し、前記取得した着信記録を付した着信記録送信指示を前記メディアサーバに送信する前記カスコン制御部と、を備え、
前記メディアサーバは、
前記着信記録が付された着信記録送信指示を受信し、前記接続要求信号を送信した前記着信端末に、当該着信記録を送信すること
を特徴とする通信システム。
【請求項２】
前記通信システムは、
前記加入者サーバが前記カスコン制御部を備える代わりに、アプリケーションサーバが前記カスコン制御部を備えており、
前記アプリケーションサーバの前記カスコン制御部は、前記加入者サーバから前記サービス要求信号を受信すると、前記サービス要求信号に付された契約者番号をキーとして、前記加入者サーバの前記記憶部に記憶された前記契約者番号に対応する前記ガイダンスＩＤ情報を取得し、前記取得したガイダンスＩＤ情報から前記着信記録を取得し、当該取得した着信記録を付した着信記録送信指示を前記メディアサーバに送信すること
を特徴とする請求項１に記載の通信システム。
【請求項３】
ＩＰ網に接続される端末の呼制御を行う加入者サーバと、着信端末へ接続要求信号を送信した発信端末の発信者番号もしくは非通知理由とその着信日時とを着信記録として前記着信端末に送信するメディアサーバと、前記着信記録を送信するための指示を行うアプリケーションサーバとを備え、前記着信端末からのサービス要求信号に基づき、前記着信記録を当該着信端末に送信する着信記録通知サービスを提供する通信システムであって、
前記加入者サーバは、
前記発信端末から前記接続要求信号を受信し、前記接続要求信号に前記発信端末の発信者番号もしくは前記発信番号が非通知の場合に非通知理由を付して出力する接続要求信号設定部と、
前記発信者番号もしくは非通知理由が付された接続要求信号、および前記着信端末から前記着信記録通知サービスを要求する前記サービス要求信号を受信し、当該受信した接続要求信号およびサービス要求信号を前記アプリケーションサーバに転送する呼接続制御部と、を備え、
前記アプリケーションサーバは、
前記着信記録通知サービスの利用契約を結んでいる端末の契約者番号を示した契約者情報を記憶する記憶部と、
前記発信者番号もしくは非通知理由が付された接続要求信号を受信し、当該受信した接続要求信号に付された発信者番号もしくは非通知理由と、当該接続要求信号を受信した受信日時とを、前記着信記録として生成し、前記生成した着信記録を前記契約者番号毎にガイダンスＩＤ情報として前記記憶部に記憶するガイダンスＩＤ管理部と、
前記加入者サーバから、前記着信記録通知サービスを要求する前記サービス要求信号を受信すると、前記サービス要求信号に付された発信者番号を用いて、前記契約者情報を参照し、当該発信者番号が、前記着信記録通知サービスの契約者番号である場合に、前記ガイダンスＩＤ情報に記憶された着信記録の通知を制御するカスコン制御部を起動させるサービス判定部と、
前記受信したサービス要求信号の契約者番号をキーとして、前記ガイダンスＩＤ情報を参照し、当該契約者番号の着信記録を取得し、前記取得した着信記録を付した着信記録送信指示を前記メディアサーバに送信する前記カスコン制御部と、を備え、
前記メディアサーバは、
前記着信記録が付された着信記録送信指示を受信し、前記接続要求信号を送信した前記着信端末に、当該着信記録を送信すること
を特徴とする通信システム。
【請求項４】
前記通信システムは、
前記アプリケーションサーバが前記カスコン制御部を備える代わりに、前記加入者サーバが前記カスコン制御部を備えており、
前記加入者サーバのカスコン制御部は、前記着信端末から前記サービス要求信号を受信すると、前記サービス要求信号に付された契約者番号をキーとして、前記アプリケーションサーバの前記記憶部に記憶された前記契約者番号に対応する前記ガイダンスＩＤ情報を取得し、前記取得したガイダンスＩＤ情報から前記着信記録を取得し、当該取得した着信記録を付した着信記録送信指示を前記メディアサーバに送信すること
を特徴とする請求項３に記載の通信システム。
【請求項５】
ＩＰ網に接続される端末の呼制御を行う加入者サーバと、着信端末へ接続要求信号を送信した発信端末の発信者番号もしくは非通知理由とその着信日時とを着信記録として前記着信端末に送信するメディアサーバとを備え、前記着信端末からのサービス要求信号に基づき、前記着信記録を当該着信端末に送信する着信記録通知サービスを提供する通信システムに用いられる前記加入者サーバであって、
前記発信端末から前記接続要求信号を受信し、当該接続要求信号に前記発信端末の発信者番号もしくは非通知理由を付して出力する接続要求信号設定部と、
前記発信者番号もしくは非通知理由が付された接続要求信号を受信し、当該受信した接続要求信号に付された発信者番号もしくは非通知理由と、当該接続要求信号を受信した受信日時とを、前記着信記録として生成し、前記生成した着信記録を、前記着信記録通知サービスの契約者番号毎にガイダンスＩＤ情報として記憶部に記憶するガイダンスＩＤ管理部と、
を備えることを特徴とする加入者サーバ。
【請求項６】
ＩＰ網に接続される端末の呼制御を行う加入者サーバと、着信端末へ接続要求信号を送信した発信端末の発信者番号もしくは非通知理由とその着信日時とを着信記録として前記着信端末に送信するメディアサーバとを備え、前記着信端末からのサービス要求信号に基づき、前記着信記録を当該着信端末に送信する着信記録通知サービスを提供する通信システムに用いられる加入者サーバであって、
前記着信記録通知サービスの利用契約を結んでいる端末の契約者番号を示した契約者情報を記憶する記憶部と、
前記着信端末から、前記着信記録通知サービスを要求する前記サービス要求信号を受信すると、前記サービス要求信号に付された発信者番号を用いて、前記契約者情報を参照し、当該発信者番号が、前記着信記録通知サービスの契約者番号である場合に、前記着信記録の通知を制御するカスコン制御部を起動させるサービス判定部と、
前記受信したサービス要求信号の契約者番号をキーとして、前記契約者番号毎に前記発信者番号もしくは非通知理由とその着信日時とが記憶されたガイダンスＩＤ情報を参照し、当該契約者番号の着信記録を取得し、前記取得した着信記録を付した着信記録送信指示を前記メディアサーバに送信する前記カスコン制御部と、
を備えることを特徴とする加入者サーバ。
【請求項７】
ＩＰ網に接続される端末の呼制御を行う加入者サーバと、着信端末へ接続要求信号を送信した発信端末の発信者番号もしくは非通知理由とその着信日時とを着信記録として前記着信端末に送信するメディアサーバと、前記着信記録を送信するための指示を行うアプリケーションサーバとを備え、前記着信端末からのサービス要求信号に基づき、前記着信記録を当該着信端末に送信する着信記録通知サービスを提供する通信システムに用いられる前記アプリケーションサーバであって、
前記発信者番号もしくは非通知理由が付された接続要求信号を受信し、当該受信した接続要求信号に付された発信者番号もしくは非通知理由と、当該接続要求信号を受信した受信日時とを、前記着信記録として生成し、前記生成した着信記録を、前記着信記録通知サービスの契約者番号毎にガイダンスＩＤ情報として記憶部に記憶するガイダンスＩＤ管理部を備えること、
を特徴とするアプリケーションサーバ。
【請求項８】
ＩＰ網に接続される端末の呼制御を行う加入者サーバと、着信端末へ接続要求信号を送信した発信端末の発信者番号もしくは非通知理由とその着信日時とを着信記録として前記着信端末に送信するメディアサーバと、前記着信記録を送信するための指示を行うアプリケーションサーバとを備え、前記着信端末からのサービス要求信号に基づき、前記着信記録を当該着信端末に送信する着信記録通知サービスを提供する通信システムに用いられる前記アプリケーションサーバであって、
前記着信記録通知サービスの利用契約を結んでいる端末の契約者番号を示した契約者情報を記憶する記憶部と、
前記加入者サーバから、前記着信記録通知サービスを要求する前記サービス要求信号を受信すると、前記サービス要求信号に付された発信者番号を用いて、前記契約者情報を参照し、当該発信者番号が、前記着信記録通知サービスの契約者番号である場合に、前記着信記録の通知を制御するカスコン制御部を起動させるサービス判定部と、
前記受信したサービス要求信号の契約者番号をキーとして、前記契約者番号毎に前記発信者番号もしくは非通知理由とその着信日時とが記憶されたガイダンスＩＤ情報を参照し、当該契約者番号の着信記録を取得し、前記取得した着信記録を付した着信記録送信指示を前記メディアサーバに送信する前記カスコン制御部と、
を備えることを特徴とするアプリケーションサーバ。
【請求項９】
前記ＩＰ網とＰＳＴＮとの間に、ＰＳＴＮとＩＰ網のプロトコルを相互に変換するゲートウェイ装置を設け、
前記ＰＳＴＮには、前記ＰＳＴＮに収容される端末からの接続要求信号を受け付ける加入者交換機が備えられ、
前記加入者サーバが前記ガイダンスＩＤ管理部を備える代わりに、
前記加入者交換機が、
前記契約者情報を記憶する記憶部と、
前記ＰＳＴＮの発信端末から前記発信者番号もしくは非通知理由が付された接続要求信号を受信し、当該受信した接続要求信号に付された発信者番号もしくは非通知理由と、当該接続要求信号を受信した受信日時とを、前記着信記録として生成し、前記生成した着信記録を前記契約者番号毎にガイダンスＩＤ情報として前記記憶部に記憶するガイダンスＩＤ管理部と、を備え、
前記ＰＳＴＮの着信端末から、前記着信記録通知サービスを要求する前記サービス要求信号を受信すると、前記サービス要求信号に付された発信者番号を用いて、前記契約者情報を参照し、当該発信者番号が、前記着信記録通知サービスの契約者番号である場合に、前記ガイダンスＩＤ情報を前記サービス要求信号に付して、前記ゲートウェイ装置を介して、前記加入者サーバに送信すること
を特徴とする請求項１に記載の通信システム。
【請求項１０】
前記ＩＰ網とＰＳＴＮとの間に、ＰＳＴＮとＩＰ網のプロトコルを相互に変換するゲートウェイ装置を設け、
前記ＰＳＴＮには、前記ＰＳＴＮに収容される端末からの接続要求信号を受け付ける加入者交換機が備えられ、
前記アプリケーションサーバが前記ガイダンスＩＤ管理部を備える代わりに、
前記加入者交換機が、
前記契約者情報を記憶する記憶部と、
前記ＰＳＴＮの発信端末から前記発信者番号もしくは非通知理由が付された接続要求信号を受信し、当該受信した接続要求信号に付された発信者番号もしくは非通知理由と、当該接続要求信号を受信した受信日時とを、前記着信記録として生成し、前記生成した着信記録を前記契約者番号毎にガイダンスＩＤ情報として前記記憶部に記憶するガイダンスＩＤ管理部と、を備え、
前記ＰＳＴＮの着信端末から、前記着信記録通知サービスを要求する前記サービス要求信号を受信すると、前記サービス要求信号に付された発信者番号を用いて、前記契約者情報を参照し、当該発信者番号が、前記着信記録通知サービスの契約者番号である場合に、前記ガイダンスＩＤ情報を前記サービス要求信号に付して、前記ゲートウェイ装置を介して、前記アプリケーションサーバに送信すること
を特徴とする請求項３に記載の通信システム。
【発明の詳細な説明】
【技術分野】
【０００１】
本発明は、ＩＰ（Internet Protocol）網において、自身の着端末に対して電話をかけてきた相手の、発信者番号もしくは非通知理由とその着信日時とを音声で取得できる電話サービスに関する。
【背景技術】
【０００２】
従来の公衆電話網（レガシーネットワーク）（ＰＳＴＮ：Public Switched Telephone Network）における既存電話サービスである、ナンバー・アナウンスサービスおよびナンバーお知らせ１３６サービスは、サービス契約者が「１３６」をダイヤルすることで、自身に対して電話をかけてきた相手の電話番号もしくは相手の電話番号が非通知である場合には非通知理由と、その着信日時とを音声で取得できるサービスである。
【０００３】
ナンバー・アナウンスサービスは、電話をかけてきた相手の電話番号（発信者番号）が通知されている場合には、その発信者番号とその着信日時とを音声でガイダンスし、電話をかけてきた相手の電話番号が非通知の場合には、非通知理由とその着信日時とを音声でガイダンスする。また、本サービスでは、音声ガイダンスにしたがって、（１）着信記録の確認、（２）着信記録の消去、（３）電話をかけてきた相手の電話番号（発信者番号）が通知されている場合にその相手への呼び返し電話（以下、単に「呼び返し」と呼ぶときがある。）、が可能である。本サービスでは、最も新しい着信から最大５件までの着信記録を記憶し、本サービス契約者に音声でガイダンスする（非特許文献１参照）。
【０００４】
ナンバーお知らせ１３６サービスは、ナンバー・アナウンスサービスと同様に、電話をかけてきた相手の電話番号（発信者番号）もしくは非通知理由とその着信日時とを音声で取得できるサービスである。また、本サービスにおいても、音声ガイダンスにしたがって、（１）着信記録の確認、（２）着信記録の消去、（３）電話をかけてきた相手への呼び返し、が可能である。本サービスでは、最も新しい着信記録１件のみを記憶し、本サービス契約者に音声でガイダンスする（非特許文献２参照）。
【０００５】
このナンバー・アナウンスサービスとナンバーお知らせ１３６サービスとの違いは、発信者番号もしくは非通知理由とその着信日時とを記憶する着信件数が異なることである。よって、サービス内容としては、ナンバー・アナウンスサービスがナンバーお知らせ１３６サービスを包含している。なお、ナンバー・アナウンスサービスおよびナンバーお知らせ１３６サービスをまとめて着信記録通知サービスと呼ぶときがある。
【０００６】
従来のナンバー・アナウンスサービスおよびナンバーお知らせ１３６サービスは、公衆回線網（ＰＳＴＮ）を対象としたサービスである。この着信記録通知サービスは、サービス契約者の端末の着信時に、発ＩＤ（発信者番号）もしくは非通知理由と着信日時とをガイダンスＩＤ（着信記録）としてガイダンスＩＤ情報（ガイダンスＩＤリスト）に記憶する機能、およびサービス契約者からの「１３６」ダイヤルを処理するカスタマーコントロール（以下、「カスコン」と呼ぶ。）制御機能を、サービス契約者を収容する加入者交換機（ＧＣ：Group unit Center）に備えることで実現している。以下、サービス契約者の端末への着信時のガイダンスＩＤ情報の生成処理、および、サービス契約者の端末（着信端末）からの「１３６」ダイヤルに対するカスコン制御処理について具体的に説明する。
【０００７】
（サービス契約者端末着信時のガイダンスＩＤ情報の生成処理）
図２１は、従来のＰＳＴＮにおける着信記録通知サービスのシステム構成およびガイダンスＩＤ情報生成処理の説明図である。以下、ガイダンスＩＤ情報の生成処理の流れについて説明する。
【０００８】
（１）発信端末７ａにおいて、ユーザにより接続先の着信端末（サービス契約者）７ｂに向けて発信すると、接続要求信号が発ＧＣ８ａに送られる。
（２）発ＧＣ８ａは、自身が備える契約者情報またはユーザ操作（例えば、番号非通知「１８４」ダイヤル）に基づき、発ＩＤ（発信者番号）もしくは非通知理由を接続要求信号に設定する。そして発ＧＣ８ａは、ダイヤル番号から着ＧＣ８ｂを識別して、ＩＣ（区域中継交換機）４０を経由して、接続要求信号を着ＧＣ８ｂにルーチングする。なお、非通知理由としては、発信者による非通知設定やユーザ操作（「１８４」ダイヤル）以外に、例えば、公衆電話からの発信、日本国外からの国際電話等がある。
（３）着ＧＣ８ｂは、発ＧＣ８ａからの接続要求信号の着信を契機に、ガイダンスＩＤの生成対象となる着信であるかを判定する。ここでは、ガイダンスＩＤの生成対象となると判定されたとする。そして、判定後、着ＧＣ８ｂは、着信端末（サービス契約者）７ｂに着信通知を行う。
（４）着ＧＣ８ｂは、着信端末７ｂから着信確認を受け取ると、着信呼が発ＩＤ（発信番号）の通知された呼（以下、「発ＩＤ通知呼」と呼ぶ。）の場合には、その発ＩＤ（発信番号）と着信日時とをガイダンスＩＤとしてガイダンスＩＤ情報１００に記憶する。また、着ＧＣ８ｂは、着信呼が発ＩＤの通知されない呼（以下、「発ＩＤ非通知呼」と呼ぶ。）の場合には、非通知理由と着信日時とをガイダンスＩＤとしてガイダンスＩＤ情報１００に記憶する。
【０００９】
（「１３６」ダイヤルに対するカスコン制御処理）
続いて、サービス契約者の端末（発信端末）７ａからの「１３６」ダイヤルに対するカスコン制御処理について説明する。図２２は、従来のＰＳＴＮにおける着信記録通知サービスのシステム構成およびカスコン制御処理の説明図である。
【００１０】
（５）サービス契約者の発信端末７ａにおいて、ナンバー・アナウンスサービスまたはナンバーお知らせ１３６サービスを利用するため、「１３６」がダイヤルされると、接続要求信号が、その発信端末７ａを収容する発ＧＣ８ａに送られる。
（６）この発ＧＣ８ａは、カスコン制御機能（カスコン制御部２０Ａ）を備えており、「１３６」を含む接続要求信号の受信を契機に、カスコン制御部２０Ａを起動する。そして、カスコン制御部２０Ａは、「１３６」発信端末７ａの契約者情報およびガイダンスＩＤ情報１００を参照する。
（７ａ）そして、カスコン制御部２０Ａは、契約者情報によりサービス契約者が着信記録通知サービスを利用不可の場合は、発ＧＣ８ａが備える固定音源トーキ機能により、サービスを利用できない旨のガイダンスを送信し切断する。
（７）一方、カスコン制御部２０Ａは、契約者情報によりサービス契約者が着信記録通知サービスを利用可の場合は、ＭＲＳ（ガイダンス装置：Multi-purpose Reactive Stage）に指示をだし、ＭＲＳにより、サービスの利用内容を示すガイダンスが発信端末７ａに送信される。
（８）発信端末７ａにおいて、ガイダンスにしたがって、制御指示ダイヤル（例えば、「５」：次の着信記録（ガイダンスＩＤ）確認、「９」：着信記録の消去、「３」：発ＩＤ（発信者番号）への呼び返し）が押下される。
（９）ここで、例えば、発ＩＤへの呼び返しを示す制御指示ダイヤル「３」が押下された場合、発ＧＣ８ａは、参照中のガイダンスＩＤ情報１００に基づき、発ＩＤ（発信者番号）への呼び返し処理を行う。
【先行技術文献】
【非特許文献】
【００１１】
【非特許文献１】ＮＴＴ東日本、「ナンバー・アナウンスサービス」、［online］、［平成２２年３月４日検索］、インターネット＜URL：http://web116.jp/shop/benri/num_an/numan_01.html＞
【非特許文献２】ＮＴＴ東日本、「ナンバーお知らせ136サービス」、［online］、［平成２２年３月４日検索］、インターネット＜URL:http://web116.jp/shop/benri/136/136_00.html＞
【発明の概要】
【発明が解決しようとする課題】
【００１２】
前記のように、従来の公衆回線網（ＰＳＴＮ）においては、ナンバー・アナウンスサービスやナンバーお知らせ１３６サービス等の着信記録通知サービスを実現するため、ガイダンスＩＤ情報１００およびカスコン制御機能（カスコン制御部２０Ａ）をＧＣ（加入者交換機）８が備えていた。一方、ＩＰ網では、従来ＧＣ（加入者交換機）８が備えていた呼制御機能と音声信号の送受信機能とが、それぞれ別々の装置に配備されるため基本アーキテクチャがＰＳＴＮとは異なる。これまでは、ＩＰ網を構成するどの装置に、ガイダンスＩＤ情報１００とカスコン制御機能を配備するかの検討がなされていなかった。つまり、ＩＰ網のユーザに対して本着信記録通知サービスを提供するためには、装置間の適切な連携を図りつつ、ガイダンスＩＤ情報１００およびカスコン制御機能を配備する必要がある。また、今後ＰＳＴＮからＩＰ網に移行を進めるにあたり、通信事業者にとっては、ＰＳＴＮとＩＰ網とで同様の機能を重複して維持管理せず、ＰＳＴＮ網における機能をＩＰ網に集約することが望ましい。
【００１３】
このような背景に鑑みて、本発明がなされたのであり、本発明は、ＩＰ網において着信記録通知サービスを提供することができる、通信システム、加入者サーバ、およびアプリケーションサーバを提供することを課題とする。
【課題を解決するための手段】
【００１４】
前記課題を解決するために、本発明は、ＩＰ網に接続される端末の呼制御を行う加入者サーバと、着信端末へ接続要求信号を送信した発信端末の発信者番号もしくは非通知理由とその着信日時とを着信記録として前記着信端末に送信するメディアサーバとを備え、前記着信端末からのサービス要求信号に基づき、前記着信記録を当該着信端末に送信する着信記録通知サービスを提供する通信システムであって、前記加入者サーバが、前記着信記録通知サービスの利用契約を結んでいる端末の契約者番号を示した契約者情報を記憶する記憶部と、前記発信端末から前記接続要求信号を受信し、当該接続要求信号に前記発信端末の発信者番号もしくは非通知理由を付して出力する接続要求信号設定部と、前記発信者番号もしくは前記発信番号が非通知の場合に非通知理由が付された接続要求信号を受信し、当該受信した接続要求信号に付された発信者番号もしくは非通知理由と、当該接続要求信号を受信した受信日時とを、前記着信記録として生成し、前記生成した着信記録を前記契約者番号毎にガイダンスＩＤ情報として前記記憶部に記憶するガイダンスＩＤ管理部と、前記着信端末から、前記着信記録通知サービスを要求する前記サービス要求信号を受信すると、前記サービス要求信号に付された発信者番号を用いて、前記契約者情報を参照し、当該発信者番号が、前記着信記録通知サービスの契約者番号である場合に、前記ガイダンスＩＤ情報に記憶された着信記録の通知を制御するカスコン制御部を起動させるサービス判定部と、前記受信したサービス要求信号の契約者番号をキーとして、前記ガイダンスＩＤ情報を参照し、当該契約者番号の着信記録を取得し、前記取得した着信記録を付した着信記録送信指示を前記メディアサーバに送信する前記カスコン制御部と、を備え、前記メディアサーバが、前記着信記録が付された着信記録送信指示を受信し、前記接続要求信号を送信した前記着信端末に、当該着信記録を送信することを特徴とする。
【００１５】
このようにすることで、本発明の通信システムは、ＩＰ網の加入者サーバに、ガイダンスＩＤ情報とカスコン制御部とを備えることにより、着信記録通知サービスの提供に必要なガイダンスＩＤ情報の生成処理とカスコン制御処理とを加入者サーバに集中させた形態で、着信記録通知サービスを提供することができる。
【００１６】
また、本発明は、前記加入者サーバが前記カスコン制御部を備える代わりに、アプリケーションサーバが前記カスコン制御部を備えており、前記アプリケーションサーバの前記カスコン制御部は、前記加入者サーバから前記サービス要求信号を受信すると、前記サービス要求信号に付された契約者番号をキーとして、前記加入者サーバの前記記憶部に記憶された前記契約者番号に対応する前記ガイダンスＩＤ情報を取得し、前記取得したガイダンスＩＤ情報から前記着信記録を取得し、当該取得した着信記録を付した着信記録送信指示を前記メディアサーバに送信することを特徴とする。
【００１７】
このようにすることで、本発明の通信システムは、ガイダンスＩＤ情報を加入者サーバが備えた上で、カスコン制御処理をアプリケーションサーバに実行させる形態で、着信記録通知サービスを提供することができる。
【００１８】
また、本発明は、ＩＰ網に接続される端末の呼制御を行う加入者サーバと、着信端末へ接続要求信号を送信した発信端末の発信者番号もしくは非通知理由とその着信日時とを着信記録として前記着信端末に送信するメディアサーバと、前記着信記録を送信するための指示を行うアプリケーションサーバとを備え、前記着信端末からのサービス要求信号に基づき、前記着信記録を当該着信端末に送信する着信記録通知サービスを提供する通信システムであって、前記加入者サーバが、前記発信端末から前記接続要求信号を受信し、前記接続要求信号に前記発信端末の発信者番号もしくは前記発信番号が非通知の場合に非通知理由を付して出力する接続要求信号設定部と、前記発信者番号もしくは非通知理由が付された接続要求信号、および前記着信端末から前記着信記録通知サービスを要求する前記サービス要求信号を受信し、当該受信した接続要求信号およびサービス要求信号を前記アプリケーションサーバに転送する呼接続制御部と、を備え、前記アプリケーションサーバが、前記着信記録通知サービスの利用契約を結んでいる端末の契約者番号を示した契約者情報を記憶する記憶部と、前記発信者番号もしくは非通知理由が付された接続要求信号を受信し、当該受信した接続要求信号に付された発信者番号もしくは非通知理由と、当該接続要求信号を受信した受信日時とを、前記着信記録として生成し、前記生成した着信記録を前記契約者番号毎にガイダンスＩＤ情報として前記記憶部に記憶するガイダンスＩＤ管理部と、前記加入者サーバから、前記着信記録通知サービスを要求する前記サービス要求信号を受信すると、前記サービス要求信号に付された発信者番号を用いて、前記契約者情報を参照し、当該発信者番号が、前記着信記録通知サービスの契約者番号である場合に、前記ガイダンスＩＤ情報に記憶された着信記録の通知を制御するカスコン制御部を起動させるサービス判定部と、前記受信したサービス要求信号の契約者番号をキーとして、前記ガイダンスＩＤ情報を参照し、当該契約者番号の着信記録を取得し、前記取得した着信記録を付した着信記録送信指示を前記メディアサーバに送信する前記カスコン制御部と、を備え、前記メディアサーバが、前記着信記録が付された着信記録送信指示を受信し、前記接続要求信号を送信した前記着信端末に、当該着信記録を送信することを特徴とする。
【００１９】
このようにすることで、本発明の通信システムは、ＩＰ網のアプリケーションサーバに、ガイダンスＩＤ情報とカスコン制御部とを備えることにより、着信記録通知サービスの提供に必要なガイダンスＩＤ情報の生成処理とカスコン制御処理とをアプリケーションサーバに集中させた形態で、着信記録通知サービスを提供することができる。
【００２０】
また、本発明は、前記アプリケーションサーバが前記カスコン制御部を備える代わりに、前記加入者サーバが前記カスコン制御部を備えており、前記加入者サーバのカスコン制御部は、前記着信端末から前記サービス要求信号を受信すると、前記サービス要求信号に付された契約者番号をキーとして、前記アプリケーションサーバの前記記憶部に記憶された前記契約者番号に対応する前記ガイダンスＩＤ情報を取得し、前記取得したガイダンスＩＤ情報から前記着信記録を取得し、当該取得した着信記録を付した着信記録送信指示を前記メディアサーバに送信することを特徴とする。
【００２１】
このようにすることで、本発明の通信システムは、ガイダンスＩＤ情報をアプリケーションサーバが備えた上で、カスコン制御処理を加入者サーバに実行させる形態で、着信記録通知サービスを提供することができる。
【００２２】
また、本発明は、前記ＩＰ網とＰＳＴＮとの間に、ＰＳＴＮとＩＰ網のプロトコルを相互に変換するゲートウェイ装置を設け、前記ＰＳＴＮには、前記ＰＳＴＮに収容される端末からの接続要求信号を受け付ける加入者交換機が備えられ、前記加入者サーバが前記ガイダンスＩＤ管理部を備える代わりに、前記加入者交換機が、前記契約者情報を記憶する記憶部と、前記ＰＳＴＮの発信端末から前記発信者番号もしくは非通知理由が付された接続要求信号を受信し、当該受信した接続要求信号に付された発信者番号もしくは非通知理由と、当該接続要求信号を受信した受信日時とを、前記着信記録として生成し、前記生成した着信記録を前記契約者番号毎にガイダンスＩＤ情報として前記記憶部に記憶するガイダンスＩＤ管理部と、を備え、前記ＰＳＴＮの着信端末から、前記着信記録通知サービスを要求する前記サービス要求信号を受信すると、前記サービス要求信号に付された発信者番号を用いて、前記契約者情報を参照し、当該発信者番号が、前記着信記録通知サービスの契約者番号である場合に、前記ガイダンスＩＤ情報を前記サービス要求信号に付して、前記ゲートウェイ装置を介して、前記加入者サーバに送信することを特徴とする。
【００２３】
また、本発明は、前記ＩＰ網とＰＳＴＮとの間に、ＰＳＴＮとＩＰ網のプロトコルを相互に変換するゲートウェイ装置を設け、前記ＰＳＴＮには、前記ＰＳＴＮに収容される端末からの接続要求信号を受け付ける加入者交換機が備えられ、前記アプリケーションサーバが前記ガイダンスＩＤ管理部を備える代わりに、前記加入者交換機が、前記契約者情報を記憶する記憶部と、前記ＰＳＴＮの発信端末から前記発信者番号もしくは非通知理由が付された接続要求信号を受信し、当該受信した接続要求信号に付された発信者番号もしくは非通知理由と、当該接続要求信号を受信した受信日時とを、前記着信記録として生成し、前記生成した着信記録を前記契約者番号毎にガイダンスＩＤ情報として前記記憶部に記憶するガイダンスＩＤ管理部と、を備え、前記ＰＳＴＮの着信端末から、前記着信記録通知サービスを要求する前記サービス要求信号を受信すると、前記サービス要求信号に付された発信者番号を用いて、前記契約者情報を参照し、当該発信者番号が、前記着信記録通知サービスの契約者番号である場合に、前記ガイダンスＩＤ情報を前記サービス要求信号に付して、前記ゲートウェイ装置を介して、前記アプリケーションサーバに送信することを特徴とする。
【００２４】
このようにすることで、ＩＰ網とＰＳＴＮとが接続された通信システムにおいて、ＰＳＴＮ側にガイダンスＩＤ情報を備えさせた上で、ＩＰ網側にカスコン制御機能を集約して着信記録通知サービスを提供することができる。つまり、ＰＳＴＮ側にカスコン制御機能を設ける必要をなくすことができる。
【発明の効果】
【００２５】
本発明によれば、ＩＰ網において、着信記録通知サービスを提供することができる、通信システム、加入者サーバ、およびアプリケーションサーバを提供することができる。
【図面の簡単な説明】
【００２６】
【図１】本発明の第１の実施形態に係る通信システムの構成を示す図である。
【図２】本実施形態に係る接続要求信号設定部が発呼信号に設定するヘッダ情報の一例を示す図である。
【図３】本実施形態に係るガイダンスＩＤ管理部が着信呼から取得する情報を説明するための図である。
【図４】本実施形態に係るガイダンスＩＤ情報の一例を示す図である。
【図５】本発明の第１の実施形態おける着信記録通知サービスのシステム構成およびガイダンスＩＤ情報の生成処理（加入者サーバ方式）の説明図である。
【図６】本発明の第１の実施形態に係るナンバー・アナウンスサービスにおけるガイダンスＩＤ情報の生成処理を示すフローチャートである。
【図７】本発明の第１の実施形態に係るナンバーお知らせ１３６サービスにおけるガイダンスＩＤ情報の生成処理を示すフローチャートである。
【図８】本発明の第１の実施形態おける着信記録通知サービスのシステム構成およびガイダンスＩＤ情報の生成処理（ＡＳ方式）の説明図である。
【図９】本発明の第１の実施形態に係るカスコン制御部の配備方式（加入者サーバ方式）の説明図である。
【図１０】本発明の第１の実施形態に係るカスコン制御部の配備方式（加入者サーバ方式）の説明図である。
【図１１】本発明の第１の実施形態に係るカスコン制御部の配備方式（加入者サーバ方式）の説明図である。
【図１２】本発明の第１の実施形態に係るカスコン制御部の配備方式（ＡＳ方式）の説明図である。
【図１３】本発明の第１の実施形態に係るカスコン制御部の配備方式（ＡＳ方式）の説明図である。
【図１４】本発明の第１の実施形態に係るカスコン制御部の配備方式（ＡＳ方式）の説明図である。
【図１５】本発明の第１の実施形態に係るガイダンスＩＤ情報の生成処理（加入者サーバ方式）の流れを示すシーケンス図である。
【図１６】本発明の第１の実施形態のカスコン制御処理における最新の着信記録（ガイダンスＩＤ）の通知処理を示すシーケンス図である。
【図１７】本発明の第１の実施形態のカスコン制御処理における次の着信記録の確認処理を示すシーケンス図である。
【図１８】本発明の第１の実施形態のカスコン制御処理における発ＩＤ（発信者番号）への呼び返し処理を示すシーケンス図である。
【図１９】本発明の第２の実施形態に係る通信システムが行うカスコン制御処理（加入者サーバ方式）の説明図である。
【図２０】本発明の第２の実施形態に係る通信システムが行うカスコン制御処理（ＡＳ方式）の説明図である。
【図２１】従来のＰＳＴＮにおける着信記録通知サービスのシステム構成およびガイダンスＩＤ情報の生成処理の説明図である。
【図２２】従来のＰＳＴＮにおける着信記録通知サービスのシステム構成およびカスコン制御処理の説明図である。
【発明を実施するための形態】
【００２７】
次に、本発明を実施するための形態（「実施形態」という）について、適宜図面を参照しながら詳細に説明する。以下に示す第１の実施形態は、ＩＰ網内の加入者サーバもしくはアプリケーションサーバに、ガイダンスＩＤ情報１００およびカスコン制御機能（後記するカスコン制御部２０）を備える例を示す。また、第２の実施形態は、ＰＳＴＮとＩＰ網がゲートウェイを介して接続され、ＰＳＴＮ内のＧＣ（加入者交換機）８にガイダンスＩＤ情報１００を備え、ＩＰ網内の加入者サーバもしくはアプリケーションサーバにカスコン制御機能を備える例を示す。
【００２８】
≪第１の実施形態≫
本発明の第１の実施形態に係る通信システムは、従来の公衆回線網（ＰＳＴＮ）とＩＰ網とがＰＳＴＮ−ＧＷ（ゲートウェイ）を介して接続される。そして、着信記録通知サービスにおいて必要となるガイダンスＩＤ情報１００およびカスコン制御機能（カスコン制御部２０）それぞれを、本第１の実施形態においては、ＩＰ網に備わる加入者サーバ１もしくはアプリケーションサーバ（ＡＳ）２に配備することで、ＩＰ網において、着信記録通知サービスを実現する。つまり、ガイダンスＩＤ情報１００の配備方式として、加入者サーバ１またはＡＳ２に配備する方式の２通り、カスコン制御部２０の配備方式として、加入者サーバ１またはＡＳ２に配備する方式として２通り、これらを組み合わせた全部で４通りの配備方式で、着信記録通知サービスを実現するものである。
【００２９】
＜システム構成＞
図１は、本発明の第１の実施形態に係る通信システムの構成を示す図である。前記したように、本通信システムは、ＩＰ網とＰＳＴＮ網とを含んで構成される。ただし、ＰＳＴＮ網との接続は必須ではなく、着側の加入者サーバ１（１ｂ）に、ガイダンスＩＤを生成するために必要な情報が付された呼が、サービス契約者の着信端末５（５ｂ）を収容する着側の加入者サーバ１（１ｂ）に送信されればよい。
【００３０】
また、図１においては、ガイダンスＩＤ情報１００とカスコン制御部２０の配備方式の一例として、ガイダンスＩＤ情報１００が加入者サーバ１に配備され、カスコン制御部２０がＡＳ２に配備されているものとしてその機能を説明する。
【００３１】
図１に示すように、本通信システムはＩＰ網に、加入者サーバ１（１ａ，１ｂ）と、ＡＳ２と、ＭＳ（メディアサーバ）３と、中継サーバ４と、端末５（５ａ，５ｂ）とを備えて構成される。この加入者サーバ１、ＡＳ２、ＭＳ３、および中継サーバ４は、入出力部、処理部、記憶部と備えるコンピュータにより実現される。入力部は、入出力インタフェースから構成される。処理部は、この各サーバが備えるＣＰＵ（Central Processing Unit）によるプログラム実行処理や、専用回路等により実現される。また、記憶部は、ＲＡＭ（Random Access Memory）、ハードディスク、フラッシュメモリ等の記憶手段による実現される。なお、これらのサーバをプログラム処理により実現する場合、記憶部には、このサーバの機能を実現するためのプログラムが格納される。
【００３２】
また、端末５は、ＩＰ網との間で直接ＩＰによりメッセージの送受信をできる端末装置であり、例えば、インタフェースが光回線であるＮＧＮ（Next Generation Network）端末や、ＩＰ網で用いられるプロトコルであるＳＩＰ（Session Initiation Protocol）に対応した電話端末（ＳＩＰ対応電話機）である。なお、この端末５に代えて、インタフェースがメタル回線の端末とＩＰ変換装置とを設け、端末から出力された信号を、ＩＰ信号に変換して加入者サーバ１と送受信するようにしてもよい。以下、各装置について、具体的に説明する。
【００３３】
（加入者サーバ）
加入者サーバ１は、ＡＳ２、ＭＳ３、中継サーバ４、端末５等と接続され、発呼信号や応答信号の送信先を決定しルーチング処理を行う装置であり、呼接続制御部１１と、接続要求信号設定部１２と、サービス判定部１３と、ガイダンスＩＤ管理部１４と、記憶部１５とを備える。そして、この加入者サーバ１は、記憶部１５に、着信記録通知サービスの対象となる契約者の端末５の契約者番号等を示す契約者情報２００と、着信記録通知サービスに必要な着信記録（ガイダンスＩＤ）を格納するガイダンスＩＤ情報１００（後記する図４参照）とを記憶する。なお、この契約者情報２００には、ナンバー・アナウンスサービスやナンバーお知らせ１３６サービス等の着信記録通知サービスの対象となる契約者番号が登録され、契約者番号毎に、着信記録通知サービスの利用について、現在利用可または利用不可かの状態情報がサービス契約者またはサービス事業者により記憶される。また、この契約者情報２００には、加入者サーバ１が収容する端末５からの発信ＩＤ（発信者者番号）を、受信端末において、＜通知＞とするか＜非通知＞とするかの情報が記憶される。
【００３４】
呼接続制御部１１は、発呼信号や応答信号の送信先を決定し、入出力部を介して送信する制御を行う。具体的には、発信端末５ａから発呼信号を受信し、その発呼信号に示される着信番号からその着信端末５ｂを収容する着側の加入者サーバ１ｂを決定し、ルーチング処理を行う。
【００３５】
接続要求信号設定部１２は、加入者サーバ１が発側の加入者サーバ１ａであり、発信端末５からの発呼を受信したときに機能する。接続要求信号設定部１２は、発信端末５ａからの接続要求信号を受信すると、発ＩＤ（発信者番号）もしくは非通知理由を着信端末５ｂへの接続要求信号に設定し、呼接続制御部１１を介して送信する。
【００３６】
図２は、本実施形態に係る接続要求信号設定部１２が発呼信号に設定するヘッダ情報の一例を示す図である。図２においては、ＩＰ網において、制御プロトコルとしてＳＩＰを用いる場合に、接続要求信号に付与するヘッダ情報として、Privacyヘッダ、P-Asserted-Identity（P-A-I）ヘッダ、Fromヘッダが設定される例を示している。Privacyヘッダは、発信端末５ａから受信した発呼信号が発ＩＤ通知呼か発ＩＤ非通知呼かを、契約者情報２００や契約者による非通知設定等に基づき設定するものである。P-A-Iヘッダには、発ＩＤ（発信者番号）が設定される。また、Fromヘッダには、その接続要求信号が発ＩＤ通知呼の場合には、発ＩＤ（発信者番号）が設定され、その接続要求信号が発ＩＤ非通知呼の場合には、非通知理由が設定される。この非通知理由は、例えば、加入者サーバ１が備える契約者情報２００に設定される非通知設定やユーザ操作（「１８４」ダイヤル）による非通知設定（以下、＜ユーザ非通知＞とする。）、公衆電話からの発信（以下、＜公衆＞とする。）や、日本国外からの国際電話（以下、＜国際＞とする。）等が設定される。
【００３７】
図１に戻り、サービス判定部１３は、加入者サーバ１が着側の加入者サーバ１ｂであり、接続要求信号を受信したときに機能する。サービス判定部１３は、記憶部１５に記憶された契約者情報２００に基づき、受信した接続要求信号が、着信記録通知サービスの契約者の着信呼であるかを判定する。つまり、接続要求信号が、ガイダンスＩＤ（着信記録）の記憶対象の着信か否かを判定する。そして、サービス判定部１３は、ガイダンスＩＤ記憶対象の着信であると判定した場合、その接続要求信号を、ガイダンスＩＤ管理部１４に引き渡す。
【００３８】
また、サービス判定部１３は、着信記録通知サービスを示す「１３６」が付されたサービス要求信号（以下、「１３６」発信呼と呼ぶ。）を受信すると、その「１３６」から着信記録通知サービスの要求信号であると判定し、ガイダンスＩＤ管理部１４を介して、その要求信号に示される契約者番号のガイダンスＩＤ情報１００を取得し、カスコン制御部２０に引き渡す。なお、本例のように、カスコン制御部２０が、別装置であるＡＳ２に備わる場合、サービス判定部１３は、「１３６」発信呼にガイダンスＩＤ情報１００を付してＡＳ２へ送信する。
【００３９】
ガイダンスＩＤ管理部１４は、サービス判定部１３から接続要求信号を受け取ると、接続要求信号に設定されたヘッダ情報と、ガイダンスＩＤ管理部１４自身が備わるサーバ（本例では、着側の加入者サーバ１ｂ）が着信呼を受信した着信日時を取得する。図３は、ガイダンスＩＤ管理部１４が着信呼から取得する情報を説明するための図である。図３に示すように、着信呼が発ＩＤ通知呼の場合、ガイダンスＩＤ管理部１４は、発ＩＤとしての発信者番号と着信日時とを取得する。一方、着信呼が発ＩＤ非通知呼の場合、ガイダンスＩＤ管理部１４は、＜ユーザ非通知＞、＜公衆＞、＜国際＞等の非通知理由と着信日時とを取得する。
【００４０】
そして、ガイダンスＩＤ管理部１４は、これらの取得した情報と接続要求信号に設定されたヘッダ情報とを用いて、サービス契約者の契約者番号毎に、ガイダンスＩＤ情報１００を生成し、記憶部１５に記憶する。図４は、ガイダンスＩＤ情報１００の一例を示す図である。ガイダンスＩＤ情報１００は、契約者番号に対応付けられて生成されるものであり、図４に示すナンバー・アナウンスサービスのガイダンスＩＤ情報１００の例では、ガイダンスＩＤ（着信記録）を、新しいものから５件記憶する。ここで、No.1は、「１８４発信＜ユーザ非通知＞」を理由とする発ＩＤ非通知呼のガイダンスＩＤを示し、No.2,3は、発ＩＤ通知呼のガイダンスＩＤを示す。
【００４１】
なお、このガイダンスＩＤ情報１００には、利用者との契約がナンバーお知らせ１３６サービスの場合は、最新の１件のガイダンスＩＤ（着信記録）が記憶される。また、本実施形態においては、ナンバー・アナウンスサービスでは５件のガイダンスＩＤを記憶し、ナンバーお知らせ１３６サービスでは１件のガイダンスＩＤを記憶するものとして、説明するが、本発明に係る着信記録通知サービスは、これらの件数に限定されず、所定の件数をガイダンスＩＤ情報１００に設定することができる。
【００４２】
（アプリケーションサーバ：ＡＳ）
図１に戻り、ＡＳ２は、加入者サーバ１、ＭＳ３等と接続され、着信記録通知サービスのサービス要求信号（「１３６」発信呼）を受信し、ガイダンスＩＤ情報１００を取得して、ＭＳ３に対し、サービス契約者の端末５にガイダンス配信指示等を行う装置であり、呼制御部２１と、カスコン制御部２０とを備える。
【００４３】
呼制御部２１は、加入者サーバ１および、ＭＳ３からの信号の送受信を制御する。
【００４４】
カスコン制御部２０は、サービス契約者の端末５から、着信記録通知サービスの要求信号を受信すると、その要求信号に付与されたガイダンスＩＤ情報１００またはＡＳ２の記憶部に記憶されたガイダンスＩＤ情報１００を用いて、最新のガイダンスＩＤを取得し、ＭＳ３にガイダンス送信指示を送信する。また、カスコン制御部２０は、ＭＳ３を介して、制御指示ダイヤルに基づく指示情報を受信する。そして、カスコン制御部２０は、受信した指示情報が、「５」：次の着信記録（ガイダンスＩＤ）確認の場合は、ガイダンスＩＤ情報１００から、次に新しいガイダンスＩＤを取得し、ＭＳ３にガイダンス送信指示を送信する。受信した指示情報が、「９」：着信記録の消去の場合には、ガイダンスＩＤ情報１００から、ＭＳ３を介して送信したガイダンスＩＤ情報１００を削除する。また、受信した指示情報が、「３」：発ＩＤ（発信者番号）への呼び返しの場合には、ガイダンスＩＤ情報１００の発ＩＤに設定された発信者番号に、呼び返し処理をする指示を加入者サーバ１に対して送信する。
【００４５】
（メディアサーバ：ＭＳ）
ＭＳ３は、ＡＳ２からの指示に従い、端末５に向けて、発信者番号もしくは非通知理由とその着信日時と含む着信記録（ガイダンスＩＤ）を音声信号として送信する。また、ＭＳ３は、ガイダンスの応答として入力された制御指示ダイヤルを端末５から受信し、加入者サーバ１またはＡＳ２に送信する。
【００４６】
（中継サーバ）
中継サーバ４は、加入者サーバ１、ＰＳＴＮ−ＧＷ６等に接続され、受信した発呼信号や応答信号をルーチングすることにより、呼信号の中継を行う装置である。
【００４７】
（ＰＳＴＮ−ＧＷ）
ＰＳＴＮ−ＧＷ６は、ＩＰ網とＰＳＴＮとを相互に接続する装置であり、中継サーバ４や、ＩＧＳ（関門交換機）９等に接続され、ＰＳＴＮからの信号をＩＰ網の信号に変換し、ＩＰ網からの信号をＰＳＴＮの信号に変換して送信を行う。
【００４８】
（加入者交換機：ＧＣ）
次に、ＰＳＴＮにおいて構成される装置について説明する。
ＧＣ（加入者交換機）８は、ＰＳＴＮ内の端末７やＩＧＳ（関門交換機）９等に接続される交換機である。ＧＣ８は、発信端末７ａからの発呼を受信すると、発ＩＤ（発信者番号）もしくは非通知理由を接続先要求信号に設定し、ＩＧＳ９、ＰＳＴＮ−ＧＷ６、および中継サーバ４を介して、着側の加入者サーバ１ｂへ送信する。このＧＣ８は、発側の加入者サーバ１ａが備える接続要求信号設定部１２と同様の機能を備える。
【００４９】
また、ＩＧＳ（関門交換機）９は、他の通信網と相互接続するための装置である。そして、端末７は、メタル回線でＧＣ８と接続し、メッセージの送受信を行う端末装置である。
【００５０】
＜処理手順＞
次に、図１〜図４を参照しつつ、第１の実施形態に係る通信システムの処理手順を説明する。ここでは、（１）着信記録通知サービスの契約者への着信時のガイダンスＩＤ情報１００の生成処理、（２）カスコン制御部２０によるカスコン制御処理の２つに分けて説明する。また、この（１）および（２）の処理において、ガイダンスＩＤ情報１００、カスコン制御部２０それぞれを、加入者サーバ１に配備する方式（以下、「加入者サーバ方式」）と、ＡＳ２に配備する方式（以下、「ＡＳ方式」）とに分けて説明する。
【００５１】
〔ガイダンスＩＤ情報の生成処理（加入者サーバ方式）〕
まず、着信記録通知サービスの契約者への着信時のガイダンスＩＤ情報１００の生成処理について説明する。図５は、本発明の第１の実施形態おける着信記録通知サービスのシステム構成およびガイダンスＩＤ情報１００の生成処理（加入者サーバ方式）の説明図である。ここでは、ガイダンスＩＤ情報１００が着側の加入者サーバ１（１ｂ）に配備される。
【００５２】
まず、発信端末５ａは、着信記録通知サービスの契約者の端末である着信端末５ｂに向けて発信する（ステップＳ５０１）。ここで、着信端末５ｂへの発信は、ＩＰ網内の発信端末５ａからでも、ＰＳＴＮ内の発信端末７ａからでもよい（ステップＳ５０１ａ）。
【００５３】
次に、ＩＰ網内の発信端末５ａからの発信の場合、発側の加入者サーバ１ａは、発信端末５ａからの接続要求信号（発呼信号）を受信し、発ＩＤ（発信者番号）もしくは非通知理由等をヘッダ情報（図２参照）として接続要求信号に設定し、中継サーバ４を介して、着側の加入者サーバ１ｂに転送する（ステップＳ５０２）。ＰＳＴＮ内の発信端末７ａからの発信の場合も同様に、発ＩＤ（発信者番号）もしくは非通知理由等をヘッダ情報（図２参照）として接続要求信号に設定し、ＩＧＳ９を介して、ＰＳＴＮ−ＧＷ６に転送する。ＰＳＴＮ−ＧＷ６では、ＰＳＴＮ上の接続要求信号をＩＰ網上の接続要求信号に変換し、着側の加入者サーバ１ｂに転送する（ステップＳ５０２ａ）。
【００５４】
続いて、着側の加入者サーバ１ｂは、着信呼がナンバー・アナウンスサービスもしくはナンバーお知らせ１３６サービスの契約者であり、そのサービスが利用可能な設定になっているか否かを、記憶部１５に記憶された契約者情報２００（図１参照）を用いて判定する。そして、どちらかのサービスが利用可能と判定された場合には、加入者サーバ１ｂは、着信呼から発ＩＤ（発信者番号）もしくは非通知理由を取得するとともに、加入者サーバ１ｂが着信呼を受信したときの着信日時を取得する（図３参照）。その後、加入者サーバ１ｂは、着信端末（サービス契約者）５ｂに着信通知を行う（ステップＳ５０３）。
【００５５】
次に、着側の加入者サーバ１ｂは、着信通知の送出の成功を契機に、ステップＳ５０３で取得した発ＩＤ（発信者番号）もしくは非通知理由と、着信日時とをガイダンスＩＤとして記憶することで、ガイダンスＩＤ情報１００（図４参照）を生成する（ステップＳ５０４）。なお、ナンバー・アナウンスサービス、ナンバーお知らせ１３６サービスにおける、ガイダンスＩＤ情報１００の生成処理の詳細は、次に示す図６、図７を参照して説明する。
【００５６】
図６は、本発明の第１の実施形態に係るナンバー・アナウンスサービスにおけるガイダンスＩＤ情報１００の生成処理を示すフローチャートである。
【００５７】
まず、着側の加入者サーバ１ｂは、接続要求信号（発呼信号）を受信すると、サービス判定部１３が、契約者情報２００を用いて、ガイダンスＩＤ（着信記録）の記憶対象の着信か否かを判定する（ステップＳ６０１）。具体的には、サービス判定部１３は、契約者情報２００を参照し、着信先の番号が、ナンバー・アナウンスサービスの契約者番号であり、サービスが利用可と設定されていることを確認する。ここで、ガイダンスＩＤ記憶対象の着信でなければ（ステップＳ６０１→Ｎｏ）、処理を終える。一方、ガイダンスＩＤ記憶対象の着信であれば（ステップＳ６０１→Ｙｅｓ）、次のステップＳ６０２へ進む。
【００５８】
ステップＳ６０２において、ガイダンスＩＤ管理部１４は、受信した着信呼が発ＩＤ通知呼か、または、発ＩＤ非通知呼かを判定する。ガイダンスＩＤ管理部１４は、その接続要求信号に付されたヘッダ情報のPrivacyヘッダ（図２）を参照することで、Privacyヘッダが付されていなければ、発ＩＤ通知呼であり、Privacyヘッダが付されており、当該ヘッダ情報が発ＩＤ非通知である場合は、発ＩＤ非通知呼であると判定することができる。
【００５９】
続いて、ガイダンスＩＤ管理部１４は、着信呼が発ＩＤ通知呼であると判定した場合（ステップＳ６０２→発ＩＤ通知呼）、接続要求信号のP-A-Iヘッダ（図２）から発ＩＤ（発信者番号）を取得するとともに、着側の加入者サーバ１ｂがその接続要求信号を受信した着信日時を取得する（ステップＳ６０３）。
【００６０】
そして、ガイダンスＩＤ管理部１４は、呼接続制御部１１を介して、着信端末５ｂに着信通知を行う（ステップＳ６０４）。
【００６１】
次に、ガイダンスＩＤ管理部１４は、着信通知の送出の成功を契機に、取得した発ＩＤ（発信者番号）と着信日時を用いてガイダンスＩＤの生成を行う。具体的には、ガイダンスＩＤ管理部１４は、まず、着信端末５ｂの契約者番号に対応するガイダンスＩＤ情報１００（図４）を参照して、そのガイダンスＩＤ情報１００のガイダンスＩＤ（着信履歴）の登録件数が５件未満か否かを判定する（ステップＳ６０５）。
【００６２】
そして、ガイダンスＩＤ管理部１４は、登録件数が５件未満であれば（ステップＳ６０５→Ｙｅｓ）、ステップＳ６０３で取得した発信者番号と着信日時とを設定したガイダンスＩＤを生成し、ガイダンスＩＤ情報１００に追加する（ステップＳ６０６）。
【００６３】
一方、ガイダンスＩＤ管理部１４は、登録件数が５件未満でなければ（ステップＳ６０５→Ｎｏ）、つまり登録件数が５件であれば、ガイダンスＩＤ情報１００から着信日時の最も古いガイダンスＩＤを削除する（ステップＳ６０７）。そして、ガイダンスＩＤ管理部１４は、ステップＳ６０３で取得した発信者番号と着信日時とを設定したガイダンスＩＤを生成し、ガイダンスＩＤ情報１００に追加する（ステップＳ６０８）。
【００６４】
また、ステップＳ６０２において、ガイダンスＩＤ管理部１４が、着信呼が発ＩＤ非通知呼であると判定した場合には（ステップＳ６０２→非通知呼）、接続要求信号のFromヘッダ（図２）から非通知理由を取得するとともに、着側の加入者サーバ１ｂがその接続要求信号を受信した着信日時を取得する（ステップＳ６０９）。
【００６５】
そして、ガイダンスＩＤ管理部１４は、呼接続制御部１１を介して、着信端末５ｂに着信通知を行う（ステップＳ６１０）。
【００６６】
次に、ガイダンスＩＤ管理部１４は、着信端末５ｂの契約者番号に対応するガイダンスＩＤ情報１００（図４）を参照して、そのガイダンスＩＤ情報１００のガイダンスＩＤ（着信履歴）の登録件数が５件未満か否かを判定する（ステップＳ６１１）。
【００６７】
続いて、ガイダンスＩＤ管理部１４は、登録件数が５件未満であれば（ステップＳ６１１→Ｙｅｓ）、ステップＳ６０９で取得した非通知理由と着信日時とを設定したガイダンスＩＤを生成し、ガイダンスＩＤ情報１００に追加する（ステップＳ６１２）。
【００６８】
一方、ガイダンスＩＤ管理部１４は、登録件数が５件未満でなければ（ステップＳ６１１→Ｎｏ）、つまり登録件数が５件であれば、ガイダンスＩＤ情報１００から着信日時の最も古いガイダンスＩＤを削除する（ステップＳ６１３）。そして、ガイダンスＩＤ管理部１４は、ステップＳ６０９で取得した非通知理由と着信日時とを設定したガイダンスＩＤを生成し、ガイダンスＩＤ情報１００に追加する（ステップＳ６１４）。
【００６９】
このようにすることで、ナンバー・アナウンスサービスにおけるガイダンスＩＤ情報１００の生成を行い、契約者番号毎に５件分のガイダンスＩＤ（着信記録）を記憶することができる。
【００７０】
次に、ナンバーお知らせ１３６サービスにおける、ガイダンスＩＤ情報１００の生成処理ついて説明する。図７は、本発明の第１の実施形態に係るナンバーお知らせ１３６サービスにおけるガイダンスＩＤ情報１００の生成処理を示すフローチャートである。
【００７１】
まず、着側の加入者サーバ１ｂのサービス判定部１３は、契約者情報２００を用いて、ガイダンスＩＤ（着信記録）の記憶対象の着信か否かを判定する（ステップＳ７０１）。具体的には、サービス判定部１３は、契約者情報２００を参照し、着信先の番号が、ナンバーお知らせ１３６サービスの契約者番号であり、サービスが利用可と設定されていることを確認する。ここで、ガイダンスＩＤ記憶対象の着信でなければ（ステップＳ７０１→Ｎｏ）、処理を終える。一方、ガイダンスＩＤ記憶対象の着信であれば（ステップＳ７０１→Ｙｅｓ）、次のステップＳ７０２へ進む。
【００７２】
ステップＳ７０２において、ガイダンスＩＤ管理部１４は、受信した着信呼が発ＩＤ通知呼か、または、発ＩＤ非通知呼かを判定する。ガイダンスＩＤ管理部１４は、その接続要求信号に付されたヘッダ情報のPrivacyヘッダ（図２）を参照することで、Privacyヘッダが付されていなければ、発ＩＤ通知呼であり、Privacyヘッダが付されており、当該ヘッダ情報が発ＩＤ非通知である場合は、発ＩＤ非通知呼であると判定することができる。
【００７３】
続いて、ガイダンスＩＤ管理部１４は、着信呼が発ＩＤ通知呼であると判定した場合（ステップＳ７０２→発ＩＤ通知呼）、接続要求信号のP-A-Iヘッダ（図２）から発ＩＤ（発信者番号）を取得するとともに、着側の加入者サーバ１ｂがその接続要求信号を受信した着信日時を取得する（ステップＳ７０３）。
【００７４】
そして、ガイダンスＩＤ管理部１４は、呼接続制御部１１を介して、着信端末５ｂに着信通知を行う（ステップＳ７０４）。
【００７５】
次に、ガイダンスＩＤ管理部１４は、着信通知の送出の成功を契機に、取得した発ＩＤ（発信者番号）と着信日時とを用いてガイダンスＩＤの生成し、その契約者番号に対応したガイダンスＩＤ情報１００を上書きする（ステップＳ７０５）。
【００７６】
また、ステップＳ７０２において、ガイダンスＩＤ管理部１４が、着信呼が発ＩＤ非通知呼であると判定した場合には（ステップＳ７０２→非通知呼）、接続要求信号のFromヘッダ（図２）から非通知理由を取得するとともに、着側の加入者サーバ１ｂがその接続要求信号を受信した着信日時を取得する（ステップＳ７０６）。
【００７７】
そして、ガイダンスＩＤ管理部１４は、呼接続制御部１１を介して、着信端末５ｂに着信通知を行う（ステップＳ７０７）。
【００７８】
次に、ガイダンスＩＤ管理部１４は、着信通知の送出の成功を契機に、取得した非通知理由と着信日時とを用いてガイダンスＩＤの生成し、その契約者番号に対応したガイダンスＩＤ情報１００を上書きする（ステップＳ７０８）。
【００７９】
このようにすることで、ナンバーお知らせ１３６サービスにおけるガイダンスＩＤ情報１００の生成を行い、契約者番号毎に１件分のガイダンスＩＤ（着信記録）を記憶することができる。
【００８０】
〔ガイダンスＩＤ情報の生成処理（ＡＳ方式）〕
次に、ガイダンスＩＤ情報１００がＡＳ２に配備される場合における、ガイダンスＩＤ情報１００の生成処理について説明する。図８は、本発明の第１の実施形態おける着信記録通知サービスのシステム構成およびガイダンスＩＤ情報１００の生成処理（ＡＳ方式）の説明図である。なお、ステップＳ８０１（Ｓ８０１ａ），Ｓ８０２（Ｓ８０２ａ）の処理は、図５に示したステップＳ５０１（Ｓ５０１ａ），Ｓ５０２（Ｓ５０２ａ）と同様の処理を行うので説明を省略し、ステップＳ８０３から説明する。
【００８１】
着側の加入者サーバ１ｂが接続要求信号（発呼信号）を受信すると、その加入者サーバ１ｂは、着信呼が着信記録通知サービス（ナンバー・アナウンスサービスもしくはナンバーお知らせ１３６サービス）の契約者への着信呼であるか否かを判断せず、すべての着信呼をＡＳ２へルーチングする（ステップＳ８０３）。なお、このステップＳ８０３に代わりに、加入者サーバ１ｂのサービス判定部１３（図１参照）が、契約者情報２００を用いて、着信呼が着信記録通知サービスの契約者の着信呼であるか否かを判定して、サービス契約者への着信呼のみをＡＳ２へルーチングさせるようにすることもできる。
【００８２】
次に、ＡＳ２は、加入者サーバ１ｂから着信呼を受信する。そして、ＡＳ２は、着信呼が着信記録通知サービスの契約者であり、そのサービスが利用可能な設定になっているか否かを、ＡＳ２自身の記憶部に記憶された契約者情報２００を用いて判定する。そして、着信記録通知サービスが利用可能と判定された場合には、加入者サーバ１ｂは、着信呼から発ＩＤ（発信者番号）もしくは非通知理由を取得するとともに、ＡＳ２が着信呼を受信したときの着信日時を取得する。なお、加入者サーバ１ｂからサービス契約者の着信呼のみをＡＳ２が受信した場合には、サービス契約者か否かの判定は行わず、ＡＳ２は、着信呼から発ＩＤ（発信者番号）もしくは非通知理由を取得するとともに、ＡＳ２が着信呼を受信したときの着信日時を取得する。その後、ＡＳ２は、着信呼を加入者サーバ１ｂに転送する（ステップＳ８０４）。
【００８３】
続いて、着側の加入者サーバ１ｂは、着信端末（サービス契約者）５ｂへの着信通知を行う（ステップＳ８０５）。
【００８４】
そして、ＡＳ２は、着信通知の送出の成功を契機に、取得した発ＩＤ（発信者番号）もしくは非通知理由と、着信日時とをガイダンスＩＤとして生成し、ガイダンスＩＤ情報１００（図４参照）に記憶する（ステップＳ８０６）。
なお、ナンバー・アナウンスサービス、ナンバーお知らせ１３６サービスそれぞれの具体的なガイダンスＩＤ情報１００の生成処理は、図６および図７で示した処理と同様である。
【００８５】
＜カスコン制御処理＞
次に、カスコン制御部２０（図１参照）が行うカスコン制御処理について説明する。サービス契約者の「１３６」ダイヤルを処理するカスコン制御を実現する方式には、カスコン制御部２０を、加入者サーバ１に配備する方式（加入者サーバ方式）と、ＡＳ２に配備する方式（ＡＳ方式）とがある。なお、前記したように、ガイダンスＩＤ情報１００の配備方式も、加入者サーバ方式とＡＳ方式とのより実現できるため、計４通りの実施形態が可能となる。なお、本実施形態において、着信記録通知サービスを要求するダイヤルを「１３６」として説明するが、これに限定されるものではない。
【００８６】
〔カスコン制御部の配備方式（加入者サーバ方式）〕  
カスコン制御部２０が行うカスコン制御処理において、カスコン制御部２０を加入者サーバ１に配備する場合について、図９〜図１１を用いて説明する。図９，図１０，図１１は、最新のガイダンスＩＤ（着信記録）をガイダンスする処理と、そのガイダンスの後に、利用者により選択されるサービス毎の処理を示しており、図９は、次の着信記録の確認、図１０は、着信記録の消去、図１１は、発信者番号への呼び返し処理を示している。
【００８７】
（次の着信記録の確認）
まず、図９を参照して、加入者サーバ１に配備されたカスコン制御部２０が行う、最新の着信記録（ガイダンスＩＤ）の通知処理と、その後のガイダンスにしがたい、利用者により「次の着信記録の確認」が選択された場合の処理とについて説明する。
【００８８】
まず、発信端末（サービス契約者）５ａにおいて、利用者により着信記録通知サービスを示す「１３６」がダイヤルされ、発信端末５ａが「１３６」を付した発呼信号（「１３６」発信呼）を送信する（ステップＳ９０１）。
【００８９】
次に、発信端末５ａを収容している発側の加入者サーバ１ａは、その「１３６」発信呼の受信を契機に、カスコン制御部２０を起動させる（ステップＳ９０２）。
【００９０】
そして、加入者サーバ１ａは、ガイダンスＩＤ情報１００がＡＳ２に記憶されている場合には、発信端末５ａの契約者番号に対応するガイダンスＩＤ情報１００（図４参照）をＡＳ２から取得する（ステップＳ９０３）。また、加入者サーバ１ａは、自身の加入者サーバ１の記憶部１５（図１参照）に、ガイダンスＩＤ情報１００が記憶されている場合には、発信端末５ａの契約者番号に対応するガイダンスＩＤ情報１００を記憶部１５から取得する。
【００９１】
次に加入者サーバ１ａは、ＡＳ２から取得したガイダンスＩＤ情報１００、または自身で記憶するガイダンスＩＤ情報１００を参照し、記憶されたガイダンスＩＤ（着信記録）のうちの着信日時の最も新しいガイダンスＩＤを取得し、そのガイダンスＩＤを付して、ＭＳ３にガイダンス送信指示を送信する（ステップＳ９０４）。
【００９２】
続いて、ＭＳ３は、加入者サーバ１ａから受信したガイダンスＩＤの情報を含むガイダンスを発信端末５ａに配信する（ステップＳ９０５）。
【００９３】
そして、発信端末５ａが、ガイダンスを受信し、音声データとして、最新の着信履歴（ガイダンスＩＤ）が利用者に提供される。続いて、発信端末５ａの利用者により、制御指示ダイヤルが押下されることにより、次の着信記録の確認（「５」ダイヤル）、着信記録の消去（「９」ダイヤル）、発信者番号への呼び返し（「３」ダイヤル）のいずれかが指示される。ここでは、次の着信記録の確認（「５」ダイヤル）が押下されたとして説明を続ける。
【００９４】
発信端末５ａにおいて、利用者により、次の着信記録の確認を示す制御指示ダイヤル「５」がダイヤルされ、その情報が発信端末５ａからＭＳ３に送信される（ステップＳ９０６）。そして、ＭＳ３は、この制御指示ダイヤル「５」の指示情報を、加入者サーバ１ａに通知する（ステップＳ９０７）。
【００９５】
次に、加入者サーバ１ｂは、次の着信記録の確認の通知を受信すると、ステップＳ９０３で取得したガイダンスＩＤ情報１００から、次に新しいガイダンスＩＤを取得し、そのガイダンスＩＤを付して、ＭＳ３にガイダンス送信指示を送信する（ステップＳ９０８）。
【００９６】
そして、ＭＳ３は、加入者サーバ１ａから受信した次に新しいガイダンスＩＤの情報を含むガイダンスを発信端末５ａに配信する（ステップＳ９０９）。
【００９７】
この処理を繰り返すことで、利用者は、ガイダンスＩＤ情報１００に記憶された、次に新しいガイダンスＩＤ（着信記録）を順に、聴取することができる。
【００９８】
（着信記録の消去）
次に、図１０を参照して、加入者サーバ１に配備されたカスコン制御部２０が行う、着信記録（ガイダンスＩＤ）の消去の処理について説明する。発信端末５ａから「１３６」がダイヤルされ、最新の着信記録（ガイダンスＩＤ）のガイダンスが発信端末５ａに配信されるまでの処理は、図９のステップＳ９０１〜Ｓ９０５までの処理と同様であるため、同一の符号を付して、説明を省略する。
【００９９】
発信端末５ａにおいて、利用者により、着信記録の消去を示す制御指示ダイヤル「９」がダイヤルされ、その情報が発信端末５ａからＭＳ３に送信される（ステップＳ９１０）。そして、ＭＳ３は、この制御指示ダイヤル「９」の指示情報を、加入者サーバ１ａに通知する（ステップＳ９１１）。
【０１００】
次に、着信記録の消去の通知を受信すると、加入者サーバ１ｂは、ガイダンスＩＤ情報１００がＡＳ２に記憶されている場合には、通知されたガイダンスＩＤの消去を、ＡＳ３に通知する（ステップＳ９１２ａ）。そして、ＡＳ３は、加入者サーバ１ｂから通知のあったガイダンスＩＤ情報１００の該当する着信記録（ガイダンスＩＤ）を消去する。
また、加入者サーバ１ｂは、自身の記憶部１５にガイダンスＩＤ情報１００を記憶する場合には、参照中のガイダンスＩＤ情報１００から該当する着信記録（ガイダンスＩＤ）を消去する（ステップＳ９１２ｂ）。
【０１０１】
加入者サーバ１ａは、着信記録（ガイダンスＩＤ）の消去が完了すると、その消去が完了した旨のガイダンス送信指示を、ＭＳ３に送信する（ステップＳ９１３）。そして、ＭＳ３は、消去が完了した旨のガイダンスを発信端末５ａに配信する（ステップＳ９１４）。
【０１０２】
（呼び返し）
次に、図１１を参照して、加入者サーバ１に配備されたカスコン制御部２０が行う、発ＩＤ（発信者番号）への呼び返し処理について説明する。発信端末５ａから「１３６」がダイヤルされ、最新の着信記録（ガイダンスＩＤ）のガイダンスが発信端末５ａに配信されるまでの処理は、図９のステップＳ９０１〜Ｓ９０５までの処理と同様であるため、同一の符号を付して、説明を省略する。
【０１０３】
発信端末５ａにおいて、利用者により、発ＩＤ（発信者番号）への呼び返しを示す制御指示ダイヤル「３」がダイヤルされ、その情報が発信端末５ａからＭＳ３に送信される（ステップＳ９１５）。そして、ＭＳ３は、この制御指示ダイヤル「３」の指示情報を、加入者サーバ１ａに通知する（ステップＳ９１６）。
【０１０４】
次に、発ＩＤへの呼び返しの通知を受信すると、加入者サーバ１ｂは、ステップＳ９０４で取得したガイダンスＩＤに示される発ＩＤ（発信者番号）に対し呼び返しの電話（接続要求信号）を送信する（ステップＳ９１７）。以下は、通常の接続要求信号と同様の処理により、発信者番号に対し、呼び返しの電話を行う。
【０１０５】
〔カスコン制御部の配備方式（ＡＳ方式）〕
続いて、カスコン制御部２０が行うカスコン制御処理において、カスコン制御部２０をＡＳ２に配備する場合について、図１２〜図１４を用いて説明する。図１２，図１３，図１４は、図９〜図１１と同様に、最新のガイダンスＩＤ（着信記録）をガイダンスする処理と、そのガイダンスの後に、利用者により選択されるサービス毎の処理を示しており、図１２は、次の着信記録の確認、図１３は、着信記録の消去、図１４は、発信者番号への呼び返し処理を示している。
【０１０６】
（次の着信記録の確認）
まず、図１２を参照して、ＡＳ２に配備されたカスコン制御部２０が行う、最新の着信記録（ガイダンスＩＤ）の通知処理と、その後のガイダンスにしがたい、利用者により「次の着信記録の確認」が選択された場合の処理とについて説明する。
【０１０７】
まず、発信端末（サービス契約者）５ａにおいて、利用者により着信記録通知サービスを示す「１３６」がダイヤルされ、発信端末５ａが「１３６」発信呼を送信する（ステップＳ１２０１）。
【０１０８】
次に、発信端末５ａを収容している発側の加入者サーバ１ａは、受信した「１３６」発信呼を、ＡＳ２に転送する（ステップＳ１２０２）。このとき、加入者サーバ１ａにガイダンスＩＤ情報１００が記録されている場合には、加入者サーバ１ａは、「１３６」発信呼に、発信端末５ａの契約者番号に対応するガイダンスＩＤ情報１００を付して送信する。
【０１０９】
ＡＳ２は、「１３６」発信呼の受信を契機に、カスコン制御部２０を起動する（ステップＳ１２０３）。
【０１１０】
ＡＳ２は、ステップＳ１２０２において、加入者サーバ１ａから転送されるガイダンスＩＤ情報１００、または、ＡＳ２自身の記憶部に記憶されたガイダンスＩＤ情報１００のいずれかを参照し、そのガイダンスＩＤ情報１００から、最新のガイダンスＩＤを取得し、そのガイダンスＩＤを付して、ＭＳ３に直接ガイダンス送信指示を送信する（ステップＳ１２０４ａ）。または、ＡＳ２は、ガイダンスＩＤを付したガイダンス送信指示を、加入者サーバ１ａ経由で、ＭＳ３に送信する（ステップＳ１２０４ｂ）。
【０１１１】
続いて、ＭＳ３は、ＡＳ２または加入者サーバ１ａから受信したガイダンスＩＤの情報を含むガイダンスを発信端末５ａに配信する（ステップＳ１２０５）。
【０１１２】
そして、発信端末５ａが、ガイダンスを受信し、音声データとして、最新の着信履歴（ガイダンスＩＤ）が利用者に提供される。続いて、発信端末５ａの利用者により、制御指示ダイヤルが押下されることにより、次の着信記録の確認（「５」ダイヤル）、着信記録の消去（「９」ダイヤル）、発信者番号への呼び返し（「３」ダイヤル）のいずれかが指示される。ここでは、次の着信記録の確認（「３」ダイヤル）が押下されてものとして説明を続ける。
【０１１３】
発信端末５ａにおいて、利用者により、次の着信記録の確認を示す制御指示ダイヤル「５」がダイヤルされ、その情報が発信端末５ａからＭＳ３に送信される（ステップＳ１２０６）。そして、ＭＳ３は、この制御指示ダイヤル「５」の指示情報を、ＡＳ２に直接送信する（ステップＳ１２０７ａ）。または、ＭＳ３は、この制御指示ダイヤル「５」の指示情報を、加入者サーバ１ａ経由で、ＡＳ２に送信する（ステップＳ１２０７ｂ）。
【０１１４】
次に、ＡＳ２は、次の着信記録の確認の通知を受信すると、ステップＳ１２０４ａ、またはステップＳ１２０４ｂで取得した発信端末５ａの契約者番号に対応したガイダンスＩＤ情報１００から、次に新しいガイダンスＩＤを取得し、そのガイダンスＩＤを付して、
ＭＳ３に直接ガイダンス送信指示を送信する（ステップＳ１２０８ａ）。または、ＡＳ２は、次に新しいガイダンスＩＤを付したガイダンス送信指示を、加入者サーバ１ａ経由で、ＭＳ３に送信する（ステップＳ１２０８ｂ）。
【０１１５】
そして、ＭＳ３は、ＡＳ２または加入者サーバ１ａから受信した次に新しいガイダンスＩＤの情報を含むガイダンスを発信端末５ａに配信する（ステップＳ１２０９）。
【０１１６】
（着信記録の消去）
次に、図１３を参照して、ＡＳ２に配備されたカスコン制御部２０が行う、着信記録（ガイダンスＩＤ）の消去の処理について説明する。発信端末５ａから「１３６」がダイヤルされ、最新の着信記録（ガイダンスＩＤ）のガイダンスが発信端末５ａに配信されるまでの処理は、図１２のステップＳ１２０１〜Ｓ１２０５までの処理と同様であるため、同一の符号を付して説明を省略する。
【０１１７】
発信端末５ａにおいて、利用者により、着信記録の消去を示す制御指示ダイヤル「９」がダイヤルされ、その情報が発信端末５ａからＭＳ３に送信される（ステップＳ１２１０）。そして、ＭＳ３は、この制御指示ダイヤル「９」の指示情報を、直接ＡＳ２に通知する（ステップＳ１２１１ａ）。または、ＭＳ３は、加入者サーバ１ａ経由でＡＳ２に通知する（ステップＳ１２１１ｂ）。
【０１１８】
次に、着信記録の消去の通知を受信すると、ＡＳ２は、ガイダンスＩＤ情報１００が加入者サーバ１ａに記憶されている場合には、通知されたガイダンスＩＤの消去を、加入者サーバ１ａに通知する（ステップＳ１２１２ａ）。そして、加入者サーバ１ａは、ＡＳ２から通知のあったガイダンスＩＤ情報１００の該当する着信記録（ガイダンスＩＤ）を消去する。
また、ＡＳ２は、自身の記憶部にガイダンスＩＤ情報１００を記憶する場合には、参照中のガイダンスＩＤ情報１００から該当する着信記録（ガイダンスＩＤ）を消去する（ステップＳ１２１２ｂ）。
【０１１９】
ＡＳ２は、着信記録（ガイダンスＩＤ）の消去が完了すると、その消去が完了した旨のガイダンス送信指示を、ＭＳ３に送信する（ステップＳ１２１３ａ，Ｓ１２１３ｂ）。そして、ＭＳ３は、消去が完了した旨のガイダンスを発信端末５ａに配信する（ステップＳ１２１４）。
【０１２０】
（呼び返し）
次に、図１４を参照して、ＡＳ２に配備されたカスコン制御部２０が行う、発ＩＤ（発信者番号）への呼び返しの処理について説明する。発信端末５ａから「１３６」がダイヤルされ、最新の着信記録（ガイダンスＩＤ）のガイダンスが発信端末５ａに配信されるまでの処理は、図１２のステップＳ１２０１〜Ｓ１２０５までの処理と同様であるため、同一の符号を付して説明を省略する。
【０１２１】
発信端末５ａにおいて、利用者により、発ＩＤ（発信者番号）への呼び返しを示す制御指示ダイヤル「３」がダイヤルされ、その情報が発信端末５ａからＭＳ３に送信される（ステップＳ１２１５）。そして、ＭＳ３は、この制御指示ダイヤル「３」の指示情報を、ＡＳ２に通知する（ステップＳ１２１６ａ，Ｓ１２１６ｂ）。
【０１２２】
次に、ＡＳ２は、発ＩＤへの呼び返しの通知を受信すると、ステップＳ１２０４ａまたはステップＳ１２０４ｂで取得したガイダンスＩＤに示される発ＩＤ（発信者番号）に対し呼び返しの接続要求信号を、加入者サーバ１ａを経由して送信する（ステップＳ１２１７）。
【０１２３】
＜処理シーケンス例＞
次に、本発明の実施形態１に係る通信システムが行う、ガイダンスＩＤ情報１００の生成処理およびカスコン制御処理の具体的な処理シーケンスの例を説明する。ここでは、図１に示したように、ガイダンスＩＤ情報１００を加入者サーバ１に備え、カスコン制御部２０をＡＳ２に備えるものとする。また、発信端末は、ＩＰ網内に収容される発信端末５ａであり、ＩＰ網の制御プロトコルとしてＳＩＰを用いるものとする。
【０１２４】
〔ガイダンスＩＤ情報の生成処理〕
図１５は、本発明の第１の実施形態に係るガイダンスＩＤ情報１００の生成処理（加入者サーバ方式）の流れを示すシーケンス図である。なお、着側の加入者サーバ１ｂが備えるガイダンスＩＤ情報１００には、図１５に示すガイダンスＩＤ情報１００ａのように、予め１つ着信記録（ガイダンスＩＤ）が記録されているものとして説明する。また、中継サーバ４の記載は省略している。
【０１２５】
まず、発信端末５ａ（03-3333-1111）から、発側の加入者サーバ１ａに向けて、着信端末５ｂ（03-1111-1111）へのINVITEメッセージが発信される（ステップＳ１）。次に、発側の加入者サーバ１ａは、INVITEメッセージを受け取ると、接続要求信号設定部１２が、P-A-Iヘッダを付与し、発信者番号（0333331111）を設定し（ステップＳ２）、着側の加入者サーバ１ｂに、INVITEメッセージを送信する（ステップＳ３）。
【０１２６】
着側の加入者サーバ１ｂは、INVITEメッセージを受信すると、サービス判定部１３が、着信呼がナンバー・アナウンスサービスもしくはナンバーお知らせ１３６サービスの契約者への着信呼であるかを契約者情報２００により判定する。つまり、着信呼がガイダンスＩＤの記憶対象である着信かを判定する（ステップＳ４）。そして、ガイダンスＩＤの記憶対象の着信である場合、ガイダンスＩＤ管理部１４は、着信呼が、発ＩＤ通知呼であるか発ＩＤ非通知呼であるかを判定する。ここでは、ガイダンスＩＤ管理部１４は、受信したINVITEメッセージに、Privacyヘッダがないことから、発ＩＤ通知呼と判定する。そして、ガイダンスＩＤ管理部１４は、P-A-Iヘッダの設定値から、発ＩＤ（発信者番号）を取得し、加入者サーバ１ｂが着信呼を受信した着信日時を取得する（ステップＳ５）。
【０１２７】
次に、加入者サーバ１ｂは、INVITEメッセージを着信端末５ｂに送信し（ステップＳ６）、着信端末５ｂからの180 Ringingの受信により、呼び出しの成功を確認する(ステップＳ７)。そして、加入者サーバ１ｂは、ステップＳ５において取得した発ＩＤ（発信者番号）と着信日時とをガイダンスＩＤとして生成し、ガイダンスＩＤ情報１００に追加する（ステップＳ８）。よって、ガイダンスＩＤ情報１００（１００ａ）には、新たなガイダンスＩＤが追加されてガイダンスＩＤ情報１００（１００ｂ）に示すように、着信記録（ガイダンスＩＤ）が追加される。そして、着側の加入者サーバ１ｂから、発側の加入者サーバ１ａを経由して発信端末５ａに、180 Ringingが送信される（ステップＳ９，Ｓ１０）。
【０１２８】
〔カスコン制御処理〕
次に、カスコン制御処理の具体的な処理シーケンスの例を、図１６〜図１８を参照して説明する。図１６は、サービス契約者の発信端末５ａからの「１３６」ダイヤルによる最新の着信記録（ガイダンスＩＤ）の通知処理を示すシーケンス図である。図１７は、次の着信記録の確認処理を示すシーケンス図である。また、図１８は、発ＩＤ（発信者番号）への呼び返し処理を示すシーケンス図である。
【０１２９】
（最新の着信記録の通知処理）
まず、図１６を参照して、「１３６」ダイヤルによる最新の着信記録（ガイダンスＩＤ）の通知処理について説明する。発側の加入者サーバ１ａにガイダンスＩＤ情報１００が記憶され、ＡＳ２にカスコン制御部２０が備えられている。なお、加入者サーバ１ａが備えるガイダンスＩＤ情報１００には、図１５のステップＳ８において更新されたガイダンスＩＤ情報１００（１００ｂ）が記録されているものとして説明する。
【０１３０】
まず、発信端末５ａから、ナンバー・アナウンスサービスを利用するため、「１３６」がダイヤルされ、発側の加入者サーバ１ａにINVITE(136)が送信される（ステップＳ１１）。次に、加入者サーバ１ａが、発信端末５ａからINVITE(136)を受信すると、サービス判定部１３が、サービス契約者からの「１３６」発信呼かを判定する。そして、サービス契約者からの「１３６」発信呼の場合に、ガイダンスＩＤ管理部１４が、そのINVITE(136)に付された発信者番号をキーに、ガイダンスＩＤ情報１００（１００ｂ）を抽出する（ステップＳ１２）。
【０１３１】
次に、加入者サーバ１ａの呼接続制御部１１は、ステップＳ１２で抽出したガイダンスＩＤ情報１００（１００ｂ）をINVITE(136，ガイダンスＩＤ情報)として付加し、ＡＳ２へ送信する（ステップＳ１３）。
【０１３２】
続いて、INVITE（136，ガイダンスＩＤ情報）を受信したＡＳ２は、カスコン制御部２０を起動する。そして、カスコン制御部２０は、送信されたガイダンスＩＤ情報１００（１００ｂ）に含まれる着信記録(ガイダンスＩＤ)の件数を判定する（ステップＳ１４）。
【０１３３】
そして、カスコン制御部２０は、発信端末５ａにガイダンスを送出するＭＳ３に、ガイダンス送出指示を送信するため、ＡＳ２からＭＳ３へINVITEメッセージを送信し（ステップＳ１５）、200 OKメッセージを受信してセッションを開始する（ステップＳ１６，Ｓ１８）。また、カスコン制御部２０は、発信端末５ａにガイダンスを送出するため、183 Session Progressを送信し（ステップＳ１７，Ｓ１９）、その応答メッセージであるPRACKを受信し（ステップＳ２０，Ｓ２１）、その確認メッセージ200(PRACK)を送信する（ステップＳ２２，Ｓ２３）。
【０１３４】
次に、ＡＳ２のカスコン制御部２０は、ＭＳ３とのセッション開始後、INFOメッセージに、記録件数ガイダンスの送信指示と、ガイダンスＩＤ記録件数とを設定してＭＳ３に送信する（ステップＳ２４）。そしてＭＳ３は、200 OKメッセージをＡＳ２に送信した後（ステップＳ２５）、ＡＳ２のカスコン制御部２０により指示された記録件数ガイダンスに、ガイダンスＩＤの記録件数（本例では「２」）を設定し、ガイダンスを発信端末５ａに送信する（ステップＳ２６）。ここでは例えば、「現在、２件の記録があります。」と音声によりガイダンスされる。
【０１３５】
そして、ＭＳ３は、ガイダンス終了後、INFOメッセージによりガイダンスの終了をＡＳ２に通知し(ステップＳ２７)、その応答である200 OKメッセージを受信する（ステップＳ２８）。
【０１３６】
ＡＳ２のカスコン制御部２０は、ＭＳ３からのINFOメッセージを受信後、ガイダンスＩＤ情報１００（１００ｂ）の最新の１件目の着信記録（ガイダンスＩＤ）を選択する（ステップＳ２９）。ここでは、１件目として、発ＩＤが設定されたガイダンスＩＤの情報である、発信者番号（0333331111）および着信日時（１１月２日午前８時００分）の抽出を行う。そして、カスコン制御部２０は、INFOメッセージに、発ＩＤ／発信日時案内ガイダンス送信指示、発信者番号（0333331111）および着信日時（１１月２日午前８時００分）を設定してＭＳ３に送信し（ステップＳ３０）、その応答である200 OKメッセージを受信する（ステップＳ３１）。
【０１３７】
ＭＳ３は、ＡＳ２のカスコン制御部２０により指示された、発ＩＤ／発信日時案内ガイダンスに、発信者番号（0333331111）と着信日時（１１月２日午前８時００分）とを設定し、ガイダンスを発信端末５ａに送信する（ステップＳ３２）。ここでは例えば、「１１月２日午後８時００分に、０３３３３３１１１１から着信がありました。折り返し電話をかけるときは数字の３、次の記録を聞くときは数字の５、記録を消去するときは数字の９を押してください。」のように音声によりガイダンスされる。
【０１３８】
ＭＳ３は、ガイダンス終了後、INFOメッセージによりガイダンス終了をＡＳ２に通知する（ステップＳ３３）。そして、ＡＳ２は、ＭＳ３からのINFOメッセージを受信後、ＭＳ３に200 OKメッセージを送信し（ステップＳ３４）、発信端末５ａからの制御指示ダイヤルを待ち受ける。
【０１３９】
（次の着信記録の確認処理）
次に、図１７を参照して、図１６に示した最新の着信記録の通知処理の続きとして、発信端末５ａにおいて制御指示ダイヤル「５」が押下された場合の、次の着信記録の確認処理について説明する。なお、この場合、加入者サーバ１が備えるガイダンスＩＤ情報１００には、図１５のステップＳ８において更新されたガイダンスＩＤ情報１００（１００ｂ）が記録されている。
【０１４０】
まず、発信端末５ａにおいて、利用者により、次の着信記録（ガイダンスＩＤ）を確信するための制御指示ダイヤル「５」が押下されることにより、発信端末５ａは、ＰＢ信号「５」を、ＭＳ３に送信する（ステップＳ３５）。
【０１４１】
ＭＳ３は、発信端末５ａからのＰＢ信号「５」を受信すると、INFOメッセージにより、次の着信記録（ガイダンスＩＤ）確認のための制御指示ダイヤル「５」の受信をＡＳ２に通知し（ステップＳ３６）、その応答である200 OKメッセージを受信する（ステップＳ３７）。
【０１４２】
次に、ＡＳ２のカスコン制御部２０は、ＭＳ３からINFOメッセージを受信後、ガイダンスＩＤ情報１００（１００ｂ）における次のガイダンスＩＤの有無の判定を行い、次のガイダンスＩＤがある場合には、対象となる次のガイダンスＩＤを抽出する（ステップＳ３８）。ここでは、ガイダンスＩＤ情報１００（１００ｂ）において、２件目のガイダンスＩＤが設定されており、そのガイダンスＩＤから、発信者番号（0322221111）および着信日時（１１月１日午後０時００分）の抽出を行う。そして、カスコン制御部２０は、INFOメッセージに、発ＩＤ／発信日時案内ガイダンス送信指示、発信者番号（0322221111）および着信日時（１１月１日午前０時００分）を設定してＭＳ３に送信し（ステップＳ３９）、その応答である200 OKメッセージを受信する（ステップＳ４０）。
【０１４３】
ＭＳ３は、ＡＳ２のカスコン制御部２０により指示された、発ＩＤ／発信日時案内ガイダンスに、発信者番号（0322221111）と着信日時（１１月１日午前０時００分）とを設定し、ガイダンスを発信端末５ａに送信する（ステップＳ４１）。ここでは例えば、「１１月１日午後０時００分に、０３２２２２１１１１から着信がありました。折り返し電話をかけるときは数字の３、次の記録を聞くときは数字の５、記録を消去するときは数字の９を押してください。」のように音声によりガイダンスされる。
【０１４４】
ＭＳ３は、ガイダンス終了後、INFOメッセージによりガイダンス終了をＡＳ２に通知する（ステップＳ４２）。そして、ＡＳ２は、ＭＳ３からのINFOメッセージを受信後、ＭＳ３に200 OKメッセージを送信し（ステップＳ４３）、発信端末５ａからの制御指示ダイヤルを待ち受ける。
【０１４５】
（発ＩＤ（発信者番号）への呼び返し処理）
次に、図１８を参照して、図１７に示した２件目の着信記録の確認処理の続きとして、発信端末５ａにおいて制御指示ダイヤル「３」が押下された場合の、発ＩＤ（発信者番号）への呼び返し処理について説明する。なお、この場合、加入者サーバ１ａが備えるガイダンスＩＤ情報１００には、図１５のステップＳ８において更新されたガイダンスＩＤ情報１００（１００ｂ）が記録されている。
【０１４６】
まず、発信端末５ａにおいて、利用者により、発ＩＤ（発信者番号）への呼び返しを行うための制御指示ダイヤル「３」が押下されることにより、発信端末５ａは、ＰＢ信号「３」を、ＭＳ３に送信する（ステップＳ４４）。
【０１４７】
ＭＳ３は、発信端末５ａからのＰＢ信号「３」を受信すると、INFOメッセージにより、
発ＩＤ（発信者番号）への呼び返しを行うための制御指示ダイヤル「３」の受信をＡＳ２に通知し（ステップＳ４５）、その応答である200 OKメッセージを受信する（ステップＳ４６）。
【０１４８】
次に、ＡＳ２のカスコン制御部２０は、ＭＳ３からINFOメッセージを受信後、直近の発ＩＤ／着信日時案内ガイダンスで通知したガイダンスＩＤの発信者番号（0322221111）を呼び返し番号として抽出する（ステップＳ４７）。
【０１４９】
続いて、カスコン制御部２０は、INVITEメッセージのFromヘッダに、発信端末５ａのサービス契約者の番号（0311111111）を設定し、Request-URIおよびToヘッダに呼び返し番号（0322221111）を設定し、INVITEメッセージを発側の加入者サーバ１ａに転送する（ステップＳ４８）。そして、加入者サーバ１ａは、呼び返し番号に対応する着信端末５ｂを収容している着側の加入者サーバ１ｂに向けて、INVITEメッセージを転送する（ステップＳ４９）。加入者サーバ１ｂは、INVITEメッセージを着信端末５ｂに転送する（ステップＳ５０）。そして、着信端末５ｂから、着側の加入者サーバ１ｂ、発側の加入者サーバ１ａを介して、INVITEに対する180 Ringingが、ＡＳ２に転送される（ステップＳ５１〜Ｓ５３）。
【０１５０】
ＡＳ２のカスコン制御部２０は、180 Ringingを受信すると、INFOメッセージにＲＢＴ（リングバックトーン）の送出指示を設定してＭＳ３に送信し（ステップＳ５４）、その応答である200 OKメッセージを受信する（ステップＳ５５）。なお、ここでは、ＭＳ３によりＲＢＴを送出するとしているが、その他に例えば、180 Ringing（ステップＳ５３）を発信端末５ａまで送信し、発信端末５ａでローカルにＲＢＴを再生する方法等を用いてもよい。
【０１５１】
そして、ＭＳ３は、ＡＳ２からのＲＢＴ送出指示の受信により、発信端末５ａにＲＢＴを送信する（ステップＳ５６）。続いて、着信端末５ｂの応答により、発側の加入者サーバ１ａは、着側の加入者サーバ１ｂから200 OKメッセージを受信し（ステップＳ５７，Ｓ５８）、ＡＳ２に200 OKメッセージを転送する（ステップＳ５９）。ＡＳ２は、200 OKメッセージの受信後、発側の加入者サーバ１ａに向けてセッション情報を更新するためのUPDATEメッセージを送信する（ステップＳ６０）。加入者サーバ１ａは、発信端末５ａにUPDATEメッセージを転送し（ステップＳ６１）、応答として200 (UPDATE)を受信後（ステップＳ６２）、ＡＳ２に200 (UPDATE)メッセージを転送する（ステップＳ６３）。ＡＳ２は、UPDATEメッセージに対する200 (UPDATE)を受信後、INVITEメッセージに対する200 OKメッセージを発信端末５ａに送信するとともに（ステップＳ６４，Ｓ６６）、これと並行して、ＭＳ３とのセッションを終了するためのBYEメッセージを送信し（ステップＳ６５）し、その応答である200 OKメッセージを受信する（ステップＳ６９）。発側の加入者サーバ１ｂは、発信端末５ａからACKメッセージを受信し（ステップＳ６７）、ＡＳ２にACKメッセージを転送する（ステップＳ６８）。ＡＳ２は、ACKメッセージの受信後、着信端末５ｂに向けて、ACKメッセージを送信する（ステップＳ７０〜Ｓ７２）。
【０１５２】
以上のように、本発明の第１の実施形態における着信記録通知サービスを提供する通信システムによれば、ガイダンスＩＤ情報１００、カスコン制御部２０それぞれを、加入者サーバ１もしくはＡＳ２に備えることで、ＩＰ網において着信記録通知サービスを提供することが可能となる。
【０１５３】
≪第２の実施形態≫
次に、本発明の第２の実施形態について説明する。第１の実施形態では、ガイダンスＩＤ情報１００およびカスコン制御部２０が、ＩＰ網内の加入者サーバ１またはＡＳ２に配備されていた。本第２の実施形態においては、ガイダンスＩＤ情報１００を、従来技術と同様に、ＰＳＴＮ内のＧＣ（加入者交換機）８に備え、カスコン制御部２０については、ＩＰ網内の加入者サーバ１またはＡＳ２に備えること特徴とする。
【０１５４】
本発明の第２の実施形態に係る通信システムは、従来の公衆回線網（ＰＳＴＮ）とＩＰ網とがＰＳＴＮ−ＧＷ６を介して接続される。そして、第１の実施形態に係る通信システムと異なり、ガイダンスＩＤ情報１００をＰＳＴＮ内のＧＣ８で管理するため、ガイダンスＩＤ情報１００を、ＧＣ８からＩＰ網側に転送する機能を設ける。以下、本システムにおいて、ＰＳＴＮに収容される発信端末７（７ａ）から、着信記録通知サービス（ナンバー・アナウンスサービスおよびナンバーお知らせ１３６サービス）を示す「１３６」がダイヤルされる場合の、カスコン制御処理について説明する。なお、ガイダンスＩＤ情報１００の生成処理は、ガイダンスＩＤ情報１００がＰＳＴＮ内のＧＣ８に設けられるため従来技術と同様である。
【０１５５】
＜カスコン制御処理＞
〔カスコン制御部の配備方式（加入者サーバ方式）〕
図１９は、本発明の第２の実施形態に係る通信システムが行うカスコン制御処理（加入者サーバ方式）の説明図である。本システムにおいて、ガイダンスＩＤ情報１００は、ＰＳＴＮ内のＧＣ８に配備され、カスコン制御部２０は、ＩＰ網内の加入者サーバ１に配備される。ＰＳＴＮ内のＧＣ８は、ガイダンスＩＤの生成処理を行うガイダンスＩＤ管理部（不図示）を備えている。また、ＧＣ６は、「１３６」発信呼を受信すると、着信記録通知サービスの要求信号であると判定し、ガイダンスＩＤ管理部を介して、その要求信号に示される契約者番号のガイダンスＩＤ情報１００を取得し、その「１３６」発信呼に付して送信するサービス判定部（不図示）を備えている。以下、図１９を参照して、具体的な処理の流れを説明する。
【０１５６】
まず、ＰＳＴＮ内の発信端末（サービス契約者）７ａにおいて、利用者により着信記録通知サービスを示す「１３６」がダイヤルされ、発信端末７ａが「１３６」を付した発呼信号（「１３６」発信呼）を送信する（ステップＳ１９０１）。
【０１５７】
次に、発信端末７ａを収容しているＧＣ（加入者交換機）８のサービス判定部は、その「１３６」発信呼の受信を契機に、発信端末（サービス契約者）７ａに対応するガイダンスＩＤ情報１００を抽出し、その抽出したガイダンスＩＤ情報１００を、ＩＡＭ信号等のＰＳＴＮ内で設定される呼制御信号（「１３６」発信呼）に付して、ＩＰ網側のＰＳＴＮ−ＧＷ６に転送する（ステップＳ１９０２）。
【０１５８】
続いて、ＰＳＴＮ−ＧＷ６は、ガイダンスＩＤ情報１００が付された呼制御信号（「１３６」発信呼）を、ＩＰ網内のプロトコルに変換して、加入者サーバ１に転送する（ステップＳ１９０３）。
【０１５９】
そして、加入者サーバ１は、呼制御信号（「１３６」発信呼）の受信を契機に、カスコン制御部２０を起動する（ステップＳ１９０４）。
【０１６０】
加入者サーバ１のカスコン制御部２０は、受信した呼制御信号に付されたガイダンスＩＤ情報１００から、最新のガイダンスＩＤを取得し、ＭＳ３にガイダンス送信指示を送信する（ステップＳ１９０５）。
【０１６１】
これ以降の処理は、ＭＳ３によるガイダンスの送信先が、ＰＳＴＮ内の発信端末７ａであることを除いて、図９に示したステップＳ９０５以降のカスコン制御処理と同様である。
【０１６２】
〔カスコン制御部の配備方式（ＡＳ）方式）〕
図２０は、本発明の第２の実施形態に係る通信システムが行うカスコン制御処理（ＡＳ方式）の説明図である。本システムにおいて、ガイダンスＩＤ情報１００は、ＰＳＴＮ内のＧＣ８に配備され、カスコン制御部２０は、ＩＰ網内のＡＳ２に配備される。なお、本システムにおいて、ＰＳＴＮのＧＣ８から、ＩＰ網のＡＳ２へ、呼制御信号（「１３６」発信呼）をルーチングする方法には、(a)ＰＳＴＮ−ＧＷ６から加入者サーバ１経由でＡＳ２にルーチングする方法、(b)ＰＳＴＮ−ＧＷ６から中継サーバ４経由でＡＳ２にルーチングする方法、(c)ＰＳＴＮ−ＧＷ６から直接ＡＳ２にルーチングする方法の３つがある。
【０１６３】
まず、ＰＳＴＮ内の発信端末（サービス契約者）７ａにおいて、利用者により着信記録通知サービスを示す「１３６」がダイヤルされ、発信端末７ａが「１３６」を付した発呼信号（「１３６」発信呼）を送信する（ステップＳ２００１）。
【０１６４】
次に、発信端末７ａを収容しているＧＣ（加入者交換機）８は、その「１３６」発信呼の受信を契機に、発信端末（サービス契約者）７ａに対応するガイダンスＩＤ情報１００を抽出し、その抽出したガイダンスＩＤ情報１００を、ＩＡＭ信号等のＰＳＴＮ内で設定される呼制御信号に付して、ＩＰ網側のＰＳＴＮ−ＧＷ６に転送する（ステップＳ２００２）。
【０１６５】
続いて、ＰＳＴＮ−ＧＷ６は、ガイダンスＩＤ情報１００が付された呼制御信号（「１３６」発信呼）を、ＩＰ網内のプロトコルに変換する。そして、ＰＳＴＮ−ＧＷ６は、次にいずれかの方法により、呼制御信号をＡＳ２へ転送する。ＰＳＴＮ−ＧＷ６は、加入者サーバ１経由でＡＳ２に呼制御信号を転送する（ステップＳ２００３ａ）、中継サーバ４経由で呼制御信号を転送する（ステップＳ２００３ｂ）、もしくは、直接ＡＳ２に呼制御信号を転送する(ステップＳ２００３ｃ)。
【０１６６】
そして、ＡＳ２は、呼制御信号（「１３６」発信呼）の受信を契機に、カスコン制御部２０を起動する（ステップＳ２００４）。
【０１６７】
ＡＳ２のカスコン制御部２０は、受信した呼制御信号に付されたガイダンスＩＤ情報１００から、最新のガイダンスＩＤを取得し、ＭＳ３にガイダンス送信指示を送信する（ステップＳ２００５）。
【０１６８】
これ以降の処理は、ＭＳ３によりガイダンスの送信先が、ＰＳＴＮ内の発信端末７ａであることを除いて、図１２に示したステップＳ１２０５以降のカスコン制御処理と同様である。
【０１６９】
以上のように、本発明の第２の実施形態における着信記録通知サービスを提供する通信システムによれば、ＩＰ網とＰＳＴＮとが接続された通信システムにおいて、ＩＰ網側にカスコン制御機能を集約して着信記録通知サービスを提供することができる。つまり、ＰＳＴＮ側にカスコン制御機能を設ける必要をなくすことができる。
【符号の説明】
【０１７０】
１      加入者サーバ
２      ＡＳ（アプリケーションサーバ）
３      ＭＳ（メディアサーバ）
４      中継サーバ
５      端末（ＩＰ網内の発信端末，着信端末）
６      ＰＳＴＮ−ＧＷ
７      端末（ＰＳＴＮの発信端末，着信端末）
８      ＧＣ（加入者交換機）
９      ＩＧＳ（関門交換機）
１１    呼接続制御部
１２    接続要求信号設定部
１３    サービス判定部
１４    ガイダンスＩＤ管理部
１５    記憶部
２０    カスコン制御部
２１    呼制御部
４０    ＩＣ（区域中継交換機）
８０    ＭＲＳ（ガイダンス装置）
１００  ガイダンスＩＤ情報
２００  契約者情報
【図１】
2011193253.tif 000003
【図２】
2011193253.tif 000004
【図３】
2011193253.tif 000005
【図４】
2011193253.tif 000006
【図５】
2011193253.tif 000007
【図６】
2011193253.tif 000008
【図７】
2011193253.tif 000009
【図８】
2011193253.tif 000010
【図９】
2011193253.tif 000011
【図１０】
2011193253.tif 000012
【図１１】
2011193253.tif 000013
【図１２】
2011193253.tif 000014
【図１３】
2011193253.tif 000015
【図１４】
2011193253.tif 000016
【図１５】
2011193253.tif 000017
【図１６】
2011193253.tif 000018
【図１７】
2011193253.tif 000019
【図１８】
2011193253.tif 000020
【図１９】
2011193253.tif 000021
【図２０】
2011193253.tif 000022
【図２１】
2011193253.tif 000023
【図２２】
2011193253.tif 000024